(57)【特許請求の範囲】
【請求項１】
指に指輪形態でつけることができるあるいは手首にブレスレット形態でつけることができ、かつ、首に付けることができない非首輪形態である伸縮性のあるいは非伸縮性のリングを、リング形態のまま取付け状態とできかつ該リング形態のまま取り外し状態とできる携帯ストラップの取り付け物品であって、
両側面に開口を形成してなる、前記リングが前記リング形態を保持したまま前記取付け状態および前記取り外し状態とできる、前記リングとは分離されたリング非連結の物品本体（６８）と、
この物品本体（６８）に形成された、前記両側面の開口を連絡してなるリング通し空間部（６９）と、
このリング通し空間部（６９）を形成している、前記リングの一部を通した形態で該リングの前記取付け状態とするためのリング取付け部（７７）と、
前記物品本体（６８）に設けられた、前記リングを前記リング形態のまま該リングの一部を該物品本体（６８）の外側から前記リング通し空間部（６９）に通し入れる開口形態の、前記リング通し空間部（６９）に連絡された輪通し部と、
前記物品本体（６８）に設けられた、携帯品を他方側に取付け一方側を該物品本体（６８）に取付ける紐部材の、前記一方側を取付けるための紐通し結び目止め孔（７１）と、を備えてなるとともに、
前記物品本体（６８）が、既製品である引環又は蟹環と呼ばれているアクセラリー用の止め金具以外のものであり、
前記紐通し結び目止め孔（７１）が、紐部材（４）は通すがその結び目（５）は通さない径ないし形態の上部紐通し結び目止め孔（７１）であり、
前記物品本体（６８）に前記リングを取付けたリング取付状態で、前記物品本体（６８）を上に位置させ前記リングを下に位置させた状態において、前記紐通し結び目止め孔（７１）の外側口が前記物品本体（６８）の上部に設けられ、かつ、孔形態が上方から下方に向けて貫通された縦孔形態であることを特徴とする携帯ストラップの取り付け物品。
【請求項２】
前記紐通し結び目止め孔（７１）が、前記物品本体（６８）の上部から前記リング通し空間部（６９）に貫通された貫通孔であることを特徴とする請求項１記載の携帯ストラップの取り付け物品。
【請求項３】
前記物品本体（６８）に紐部材が抜けないように取付けられてなる、あるいは前記物品本体（６８）に取付けるための紐部材が添付されてなることを特徴とする請求項１，２のいずれか１項に記載の携帯ストラップの取り付け物品。
【請求項４】
前記リングがプラスチック製（合成樹脂製）あるいはゴム製のコイルスプリングからなる伸縮性コイルリングであることを特徴とする請求項１〜３のいずれか１項に記載の携帯ストラップの取り付け物品。
【請求項５】
前記上部紐通し結び目止め孔（７１）の内側の開口と前記リング取付け部（７７）に取付け状態にある前記リングとの離れ距離が、前記上部紐通し結び目止め孔（７１）に通された前記紐部材に形成した前記結び目（５）が前記リングに当たらない離れた距離位置とされてなることを特徴とする請求項１〜４のいずれか１項に記載の携帯ストラップの取り付け物品。
【請求項６】
両側面に開口を形成してなる物品本体（６８）と、
この物品本体（６８）に形成された、前記両側面の開口を連絡してなるリング通し空間部（６９）と、
このリング通し空間部（６９）を形成している、指に指輪形態でつけることができるあるいは手首にブレスレット形態でつけることができる伸縮性のあるいは非伸縮性のリングの一部を通した形態で、該リングを取付け状態とするためのリング取付け部（７７）と、
前記物品本体（６８）に設けられた、前記リングをリング形態のまま該リングの一部を該物品本体（６８）の外側から前記リング通し空間部（６９）に通し入れる開口形態の、前記リング通し空間部（６９）に連絡された輪通し部とを備えてなる取り付け物品を備えてなるとともに、
前記物品本体（６８）が、既製品である引環又は蟹環と呼ばれているアクセラリー用の止め金具以外のものであり、
前記リングが、首に付けることができない非首輪形態であり、
前記物品本体（６８）が、前記リングが前記リング形態を保持したまま前記取付け状態および前記取り外し状態とできる、前記リングとは非連結である分離された形態であり、
前記物品本体（６８）に、携帯品を他方側に取付け一方側を該物品本体（６８）に取付ける紐部材の、前記一方側を取付けるための紐通し結び目止め孔（７１）が設けられ、
前記紐通し結び目止め孔（７１）が、紐部材（４）は通すがその結び目（５）は通さない径ないし形態の上部紐通し結び目止め孔（７１）であり、
前記物品本体（６８）に前記リングを取付けたリング取付状態で、前記物品本体（６８）を上に位置させ前記リングを下に位置させた状態において、前記紐通し結び目止め孔（７１）の外側口が前記物品本体（６８）の上部に設けられ、かつ、孔形態が上方から下方に向けて貫通された縦孔形態であることを特徴とする携帯ストラップ。
【発明の詳細な説明】
【技術分野】
【０００１】
本発明は、指に指輪形態でつけることができるあるいは手首にブレスレット形態でつけることができる伸縮性のあるいは非伸縮性のリングを交換可能とした、携帯ストラップの取り付け物品および携帯ストラップに関する。
【背景技術】
【０００２】
従来、以下のような技術が知られている。
（１）特許文献１（図６）に示される（符号は特許文献１の符号）、伸縮性がわずかな合成樹脂性線部材をコイル状に形成して、このコイル状で輪を形成してその端を適宜な箇所に溶着ないし融着などによって接合連結して輪状帯６を形成し、接合連結箇所からさらに伸びるコイル状部位を連結紐７とし、この連結紐７の先端を小さい輪に閉じてそこに金属環３を取り付けてなる携帯ストラップが知られている。
（２）特許文献２（図１）に示される（符号は特許文献１の符号）、ループ状の長尺ひも部１の端部に樹脂からなる止部２を設け、止部２にループ状の取付ひも部３（紐部材）を取り付け、長尺ひも部１、止部２および取付ひも部３からなるストラップ本体４に金属からなりかつ断面が円形の円形リング５を取り付けるなる携帯ストラップが知られている。
（３）特許文献３（図１）に示される（符号は特許文献１の符号）、ベルト部材の両端を中空部２で閉じて環状に形成したストラップ本体１と、中空部２に止着された取付紐部材４（紐部材）とからなる携帯ストラップが知られている。
【先行技術文献】
【特許文献】
【０００３】
【特許文献１】特開2005-169042号公報（図６）
【特許文献２】特開2004-105420号公報（図１）
【特許文献３】特開2000-134294号公報（図１）
【非特許文献】
【０００４】
【非特許文献１】特になし
【発明の概要】
【発明が解決しようとする課題】
【０００５】
上述した特許文献１の発明は、連結紐７と輪状帯６を切り離すことができない、連結紐７（紐部材）の交換ができない、連結紐７（紐部材）が切れてしまったら輪状帯６も使用できなくなるという欠点があった。
また、特許文献２、３のいずれの発明も、紐部材（取付ひも部３、取付紐３）を外して新しい紐部材に交換することができない、紐部材を好みの長さのものにできない、紐部材が破損したら物品（円形リング５、ストラップ本体１）も使用できないものとなってしまうという欠点を有するものであった。
【０００６】
本発明は、指に指輪形態でつけることができるあるいは手首にブレスレット形態でつけることができる伸縮性のあるいは非伸縮性のリングを交換可能とした、携帯ストラップの取り付け物品および携帯ストラップを提供することを目的としている。
【課題を解決するための手段】
【０００７】
上記目的を達成するために、本発明は次に述べるような構成としている。
≪請求項１記載の発明≫
指に指輪形態でつけることができるあるいは手首にブレスレット形態でつけることができ、かつ、首に付けることができない非首輪形態である伸縮性のあるいは非伸縮性のリングを、リング形態のまま取付け状態とできかつ該リング形態のまま取り外し状態とできる携帯ストラップの取り付け物品であって、
両側面に開口を形成してなる、前記リングが前記リング形態を保持したまま前記取付け状態および前記取り外し状態とできる、前記リングとは分離されたリング非連結の物品本体（６８）と、
この物品本体（６８）に形成された、前記両側面の開口を連絡してなるリング通し空間部（６９）と、
このリング通し空間部（６９）を形成している、前記リングの一部を通した形態で該リングの前記取付け状態とするためのリング取付け部（７７）と、
前記物品本体（６８）に設けられた、前記リングを前記リング形態のまま該リングの一部を該物品本体（６８）の外側から前記リング通し空間部（６９）に通し入れる開口形態の、前記リング通し空間部（６９）に連絡された輪通し部と、
前記物品本体（６８）に設けられた、携帯品を他方側に取付け一方側を該物品本体（６８）に取付ける紐部材の、前記一方側を取付けるための紐通し結び目止め孔（７１）と、を備えてなるとともに、
前記物品本体（６８）が、既製品である引環又は蟹環と呼ばれているアクセラリー用の止め金具以外のものであり、
前記紐通し結び目止め孔（７１）が、紐部材（４）は通すがその結び目（５）は通さない径ないし形態の上部紐通し結び目止め孔（７１）であり、
前記物品本体（６８）に前記リングを取付けたリング取付状態で、前記物品本体（６８）を上に位置させ前記リングを下に位置させた状態において、前記紐通し結び目止め孔（７１）の外側口が前記物品本体（６８）の上部に設けられ、かつ、孔形態が上方から下方に向けて貫通された縦孔形態であることを特徴とする携帯ストラップの取り付け物品である。
≪請求項２記載の発明≫
前記紐通し結び目止め孔（７１）が、前記物品本体（６８）の上部から前記リング通し空間部（６９）に貫通された貫通孔であることを特徴とする請求項１記載の携帯ストラップの取り付け物品である。
≪請求項３記載の発明≫
前記物品本体（６８）に紐部材が抜けないように取付けられてなる、あるいは前記物品本体（６８）に取付けるための紐部材が添付されてなることを特徴とする請求項１，２のいずれか１項に記載の携帯ストラップの取り付け物品である。
≪請求項４記載の発明≫
前記リングがプラスチック製（合成樹脂製）あるいはゴム製のコイルスプリングからなる伸縮性コイルリングであることを特徴とする請求項１〜３のいずれか１項に記載の携帯ストラップの取り付け物品である。
≪請求項５記載の発明≫
前記上部紐通し結び目止め孔（７１）の内側の開口と前記リング取付け部（７７）に取付け状態にある前記リングとの離れ距離が、前記上部紐通し結び目止め孔（７１）に通された前記紐部材に形成した前記結び目（５）が前記リングに当たらない離れた距離位置とされてなることを特徴とする請求項１〜４のいずれか１項に記載の携帯ストラップの取り付け物品
≪請求項６記載の発明≫
両側面に開口を形成してなる物品本体（６８）と、
この物品本体（６８）に形成された、前記両側面の開口を連絡してなるリング通し空間部（６９）と、
このリング通し空間部（６９）を形成している、指に指輪形態でつけることができるあるいは手首にブレスレット形態でつけることができる伸縮性のあるいは非伸縮性のリングの一部を通した形態で、該リングを取付け状態とするためのリング取付け部（７７）と、
前記物品本体（６８）に設けられた、前記リングをリング形態のまま該リングの一部を該物品本体（６８）の外側から前記リング通し空間部（６９）に通し入れる開口形態の、前記リング通し空間部（６９）に連絡された輪通し部とを備えてなる取り付け物品を備えてなるとともに、
前記物品本体（６８）が、既製品である引環又は蟹環と呼ばれているアクセラリー用の止め金具以外のものであり、
前記リングが、首に付けることができない非首輪形態であり、
前記物品本体（６８）が、前記リングが前記リング形態を保持したまま前記取付け状態および前記取り外し状態とできる、前記リングとは非連結である分離された形態であり、
前記物品本体（６８）に、携帯品を他方側に取付け一方側を該物品本体（６８）に取付ける紐部材の、前記一方側を取付けるための紐通し結び目止め孔（７１）が設けられ、
前記紐通し結び目止め孔（７１）が、紐部材（４）は通すがその結び目（５）は通さない径ないし形態の上部紐通し結び目止め孔（７１）であり、
前記物品本体（６８）に前記リングを取付けたリング取付状態で、前記物品本体（６８）を上に位置させ前記リングを下に位置させた状態において、前記紐通し結び目止め孔（７１）の外側口が前記物品本体（６８）の上部に設けられ、かつ、孔形態が上方から下方に向けて貫通された縦孔形態であることを特徴とする携帯ストラップである。
【発明の効果】
【０００８】
以上の説明から明らかなように、本発明にあっては次に列挙する効果が得られる。
≪請求項１記載の発明の効果≫
指に指輪形態でつけることができるあるいは手首にブレスレット形態でつけることができるリングを、リング形態のまま取付け状態とできる携帯ストラップの取り付け物品であって、
両側面に開口を形成してなる物品本体（６８）と、
この物品本体（６８）に形成された、前記両側面の開口を連絡してなるリング通し空間部（６９）と、
このリング通し空間部（６９）を形成している、前記リングの一部を通した形態で該リングの取付け状態とするためのリング取付け部（７７）と、
前記物品本体（６８）に設けられた、前記リングをリング形態のまま該リングの一部を該物品本体（６８）の外側から前記リング通し空間部（６９）に通し入れる開口形態の、前記リング通し空間部（６９）に連絡された輪通し部と、とを備えてなるとともに、
前記リング取付け部（７７）に取付け状態にある前記リングを、前記輪通し部を通し前記物品本体（６８）の外に出すことができることを特徴とする携帯ストラップの取り付け物品であるので、次に述べるような効果を奏する。
すなわち、
リングは輪通し部から出し入れ自在とされ、いつでも好みのリングに交換することができるという効果を奏する。
≪請求項２記載の発明の効果≫
前記紐通し結び目止め孔（７１）が、前記物品本体（６８）の上部から前記リング通し空間部（６９）に貫通された貫通孔であることを特徴とする請求項１記載の携帯ストラップの取り付け物品であるので、請求項１記載の発明と同様な効果を奏する。
≪請求項３記載の発明の効果≫
前記物品本体（６８）に紐部材が抜けないように取付けられてなる、あるいは前記物品本体（６８）に取付けるための紐部材が添付されてなることを特徴とする請求項１，２のいずれか１項に記載の携帯ストラップの取り付け物品であるので、このような構成としても前記請求項１、２の何れか１項に記載の発明と同様な効果を奏する。
≪請求項４記載の発明の効果≫
前記リングがプラスチック製（合成樹脂製）あるいはゴム製のコイルスプリングからなる伸縮性コイルリングであることを特徴とする請求項１〜３のいずれか１項に記載の携帯ストラップの取り付け物品であるので、前記請求項１〜３のいずれか１項に記載の発明と同様な効果を奏するとともに、次に述べるような効果を奏する。
「プラスチック製（合成樹脂製）あるいはゴム製のコイルスプリングからなる伸縮性コイルリング」は、指で軽く摘まんでもそのコイル部位は容易につぶれ変形する柔らかさであり、素材そのものもソフトタッチであるので指の間に挟持されても容易につぶれ変形しかつソフトタッチなので例えば指に付ける指輪形態であるものは指に痛みを与えないものである。
その点で特に、一本の指につけての指輪として好適である。それは、コイル部位がそれなりに太くなるので（例えばコイル部位の径が４ｍｍ以上）隣の指と装着した指の間にソフトタッチのコイル部位が挟まり変形し、伸縮性コイルリングの内径が装着した指よりも大きくても、隣の指とのコイル部位のソフト挟持形態によって指上に保持される。
また、コイル部位がいくつもあるので、そこに引き環、カニ環などの着脱自在取付け部材を有する飾りを離していくつも取付け可能とするものである。
≪請求項５記載の発明の効果≫
請求項１〜４のいずれか１項に記載の発明と同様な効果を奏する。
≪請求項６記載の発明の効果≫
請求項１記載の発明と同様な効果を奏する。
【図面の簡単な説明】
【０００９】
【図１】実施例１の携帯ストラップとしての一部断面正面図、ヘアーゴム輪あるいは指輪としての一部断面正面図およびストッパーの拡大断面図。
【図２】実施例１の取り付け方法手順を示す斜視図。
【図３】図２の続き。
【図４】実施例１の他の取り付け方法手順を示す斜視図。
【図５】実施例２の斜視図。
【図６】実施例３の一部断面正面図。
【図７】実施例４の一部断面正面図。
【図８】実施例５の一部断面正面図。
【図９】実施例６の一部断面正面図。
【図１０】実施例７の一部断面正面図。
【図１１】実施例８の一部断面正面図。
【図１２】本発明の実施例９の正面図および側面図。
【図１３】実施例１０の正面図および側面図。
【図１４】実施例１１の正面図、側面図および紐取り付け物品の分離断面図および組立断面図。
【図１５】実施例１２の一部断面部分正面図。
【図１６】実施例１３の一部断面部分正面図。
【図１７】実施例１４の一部断面部分正面図。
【図１８】実施例１５の包装状態図。
【図１９】実施例１６の使用状態斜視図。
【図２０】実施例１７の斜視図。
【図２１】実施例１８の一部断面正面図。
【図２２】実施例１９の断面正面図。
【図２３】実施例２０の一部断面正面図。
【図２４】実施例２１の正面図、側面図および両側ストッパー付き紐部材の正面図。
【図２５】実施例２１の両側ストッパー付き紐部材の取り付け手順図。
【図２６】実施例２２の側面図、背面図および飾り物品の平面図。
【図２７】実施例２３の側面図および正面図。
【図２８】実施例２３の使用状態斜視図。
【図２９】実施例２３の指輪としての使用状態斜視図。
【図３０】実施例２４の携帯品への取り付け状態図および使用状態図。
【図３１】実施例２５を示す正面図。
【図３２】実施例２６を示す斜視図。
【図３３】実施例２７を示す紐取り付け物品の断面図と側面図、および正面図と側面図。
【図３４】実施例２７の異なる使用形態を示す側面図および平面図。
【図３５】実施例２８を示す正面図。
【図３６】実施例２９を示す正面図。
【図３７】実施例３０を示す正面図。
【図３８】実施例３１を示す正面図。
【図３９】実施例３１の着脱自在型取り付け部材の図。
【図４０】実施例３２を示す斜視図。
【図４１】実施例１の使用状態斜視図。
【図４２】実施例３３を示す図。
【図４３】実施例３４を示す図。
【図４４】実施例３４の取付け例を示す斜視図。
【図４５】実施例３４の他の取付け例を示す斜視図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図４、図４１に示す実施例１において、１は携帯ストラップであって、この携帯ストラップ１は次に述べるような構成となっている。
紐取り付け物品２と、
この紐取り付け物品２に取り付けられた、指に指輪形態でつけることができるあるいは手首にブレスレット形態でつけることができるとともに、髪を束ねるヘアーゴム輪あるいは指輪としても使用可能な伸縮性コイルリングからなる伸縮性リング３と、
紐取付け物品２に設けられた、非ループ１本形態の紐部材は通すが該紐部材の結び目５を通さない径ないし形態の紐通し結び目止め孔６と、
この紐通し結び目止め孔６に一方側を通されて伸縮リング３側に出た部位に結び目５を形成して該紐通し結び目止め孔６から抜けないようにしてなる、多機能携帯端末、携帯電話、携帯カメラ、それらのケースあるいは該ケースに収納された状態の携帯品に取り付けられてなる０．５ｍｍ〜１．１ｍｍの太さ（好ましくは０．７ｍｍ〜１．０ｍｍ）の、前記非ループ一本形態の紐部材である紐部材４と、
この紐部材４の他方の側に設けられたストッパー８とからなるとともに、
紐部材４を取り除き、新たな紐部材４を紐通し結び目止め孔６に通し結び目５を形成して取り付けることができることを特徴としている。
【００１２】
紐取り付け物品２は、物品本体１０と、この物品本体１０の上部側に設けられた結び目５の全部を収納する貫通横孔形態の結び目収納部１１と、物品本体１０の上部から下方の結び目収納部１１に連絡するように設けられた紐通し結び目止め孔６と、物品本体１０の下部に下がるように設けた伸縮性リング３の三つのコイル部位からなる複数コイル掛かり形態で取り付け状態とした一体化コイル部位群１３を取付けてなる（結束固定形態でもよい）コイル取付け部９とからなっている。
コイル取付け部９は、ナイロン紐、ポリウレタン紐などの合成樹脂製紐（より紐、編組網紐を含む）、木綿紐、麻糸などの自然素材紐あるいはワイヤや針金などの金属線部材などからなっていて、その両端側は結び目収納部１１とは別箇所である物品本体１０の下部に設けた貫通横孔形態（溝形態でもよい）である通し固定部１２に差し込まれている。
通し固定部１２には該通し固定部１２に連絡された固定材充填口１５から、ホットメルト、液体接着剤などの接着剤１６が通し固定部１２内に充填されて、差し込まれている伸縮性リング取付け部９の両端側を内部に接着固定している。
コイル取付け部９の両先端を突き合わせて、融着、溶着あるいはスリーブなどで接合（連結を含む）形態としてなる形態もよい。
コイル取付け部９へのコイル部位の掛かり数を三つ以上（三つが好ましい）の複数コイル掛かり形態とするのがよい。
【００１３】
伸縮性リング３はが、コイルスプリングの一方端と他方端を融着、溶着により接合としたコイル接合部１４を形成している。
一体化コイル部位群１３は、コイル接合部１４のコイル部位と、該コイル接合部１４のコイル部位の両隣のコイル部位の三つのコイル部位に複数回巻かれた糸材からなる一体化手段７と該一体化手段７に浸み込ませた接着剤によって結束された一体化形態とされている。
コイル部位同士の融着、溶着あるいは接着によって接合形態で一体化コイル部位群を形成するのもよい。
コイル接合部１４を有するコイル部位と、該コイル接合部１４を有するコイル部位の両隣のコイル部位とが一体化形態とされているので、伸縮性リング３が強く引っ張られても、その力の大半は両隣のコイル部位に掛かり、コイル接合部１４への引っ張り力の働きが大幅に軽減されるないし皆無とされるので、コイル接合部１４の破断ないし切断が生じない安全性の高い携帯ストラップを実現する。
コイル取付け部９は一体化コイル部位群１３のコイル内に位置された形態となっているので、伸縮性リング３が指輪であるばあい、付けた指には伸縮性リング３のコイル部位の内側面が指に接触してコイル取付け部９は指に接触しない形態を実現しているものである。これによって、指への硬い物の接触による違和感を感じさせない形態を実現しているものである。
【００１４】
一体化コイル部位群の形成に最適なのは、縫い糸ほどの細い糸を何重にも巻いて瞬間接着剤を浸み込ませコイル部位ともに固着するのがよい。その際、結び目を作らず瞬間接着剤が完全に硬化した後で、ニッパーなどで余分な紐部位を切り除くのが、結び目が無く見た目もよいものとできる。
【００１５】
携帯ストラップ１は、伸縮性リング３の大きさにもよるが小さいものでは、一本の指よりも内径が小さい、例えば、内径２０ｍｍ以下のもの、あるいは一本の指よりもわずかに大きい経のものを該伸縮性リング３に掛け、大きいものは数本の指にも掌あるいは手首にも掛けて使用するもので、携帯品を手に持って操作する際に、指、掌あるいは手首に伸縮性リング３を掛けた状態で携帯品を操作することを可能としているので、手から携帯品が落下した場合でも地面への落下を防ぐことができる。
一本の指に掛ける指輪形態で使用するのであれば、内径が１５ｍｍ〜２３ｍｍ程度がよく、指より太くぶかぶかでも、その指の左右の指の間に伸縮性リング３が挟持形態とされるので、何ら問題なく保持される。使用感および指への装着感を考慮するなら、指を入れる時に、伸縮性リング３がめくれず抵抗なく素早く軽快・スムーズに入るようにするのが良く、その場合の伸縮性リング３の内径２７は１８ｍｍ〜２４ｍｍ程度がよく、好ましくは１９ｍｍ〜２２ｍｍ程度がよく、より好ましくは２０ｍｍ〜２１ｍｍ程度がよい。
【００１６】
この場合のような指輪使用である伸縮性リング３のコイル径３２は４ｍｍ以上とするのがよい。４ｍｍ以上のコイル径３２によって、一本の指への伸縮性リング３の装着が締め付け力の得られない指の太さでも、コイル部分は装着指度その隣の指の間に挟持されることになり、指間の挟持によって伸縮性リング３指輪はその指への装着が保持される。
「プラスチック製（合成樹脂製）あるいはゴム製のコイルスプリングからなる伸縮性コイルリング」は、指で軽く摘まんでもそのコイル部位は容易につぶれ変形する柔らかさであり、素材そのものもソフトタッチであるので指の間に挟持されても容易につぶれ変形しかつソフトタッチなので指に痛みを与えないものである。
その点で特に、一本の指に掛け（装着）しての指輪として好適である。それは、コイル部位がそれなりに太くなるので（例えばコイル部位の径が３ｍｍ以上、好ましくは４ｍｍ以上）隣の指と装着した指の間にソフトタッチのコイル部位が挟まり変形し、伸縮性コイルリングの内径が装着した指よりも大きくても、隣の指とのコイル部位のソフト挟持形態によって指上に保持される。
例えば、一般的にヘアーゴムとして販売されているポリプロピレン製、ポリウレタン製、ポリ塩化ビニル樹脂などの合成樹脂製（プラスチック製）の伸縮性コイルリングは、
Ａコイルスプリング：スプリング外径３０ｍｍ、スプリング内径１０ｍｍ、コイル部位外径９ｍｍ、コイル線２．４ｍｍ、
Ｂコイルスプリング：スプリング外径３３ｍｍ、スプリング内径１３ｍｍ、コイル部位外径１１ｍｍ、コイル線２ｍｍ、
Ｃコイルスプリング：スプリング外径４０ｍｍ、スプリング内径２０ｍｍ、コイル部位外径１０ｍｍ、コイル線２．５ｍｍ、
などであり、コイル線材断面形状は円形のもの、三角形のもの、楕円形ものなどがある。
指輪形態としては、上記Ａ〜Ｃコイルスプリングを試作では使用したが好適である。しかし、これらにのみ限定されるものではない。金属製のものでも同様な装着効果が得られるものは使用できる。
また、コイル線材にはアラミド繊維などの芯材が入った形態のものがよい。コイル線材が切断しても、芯材が残るので携帯品の落下の危険を避けることができ、即新しいものに交換することができる。
【００１７】
また、伸縮性リング３のコイル形態は図のように円形螺旋コイル形態にとどまらず、楕円螺旋コイル形態あるいは内面が緊切ないし当接した折畳み螺旋コイル形態でもよい。
楕円螺旋コイル形態あるいは折畳み螺旋コイル形態のものは、コイル部の厚みが薄くなるので指輪が小さく見えるという効果を奏する。
【００１８】
ストッパー８は、円盤形態のストッパー本体１８と、このストッパー本体１８の側面から対抗する側面に向けてあけられた貫通孔形態の、非ループ一本紐形態の紐部材４の結び目を全部収納して隠す形態の結び目収納部１９と、ストッパー本体１８の下部から結び目収納部１９に連絡するようにあけられた非ループの一本紐形態の紐部材４は通すがその結び目は通さない径ないし形態の紐通し結び目止め孔２０とからなっている。
紐部材４は１５ｃｍ〜３０ｃｍの長いものとし、紐通し結び目止め孔２０から挿入し結び目収納部１９から外に長く出し、その外に出た部位に結び目収納部１９の深さ以上の長さを残して結び目１７を作った状態として、使用者が紐部材４を好みの長さにできる形態で提供するようになっている。
使用者は、紐部材４の好みの長さを決め、その好みの長さとなる位置に結び目を作り該結び目を締め、結び目１７を有する余分な部位を切断取り除いて、紐通し結び目止め孔２０から出ている紐部材４を引いて結び目を結び目収納部７内に引き込み収納して、紐部材４への取り付け状態とする。
紐通し結び目止め孔２０から出ている該紐通し結び目止め孔２０に可能な限り近い部位で紐部材４を切断し、結び目収納部１９に爪楊枝、針金クリップを延ばし形成したピンなどを入れて、結び目５を結び目収納部１９の外に押し出して、新しい紐部材に取り付けることが何回でも行える。
結び目１７が付いた余分な紐部材は、予備の紐部材４として使用できるので保管しておけがよい。
【００１９】
図２、図３を参照して、携帯ストラップ１の携帯品２２への取り付け方例を説明する。
正面がタッチパネル式のディスプレイ２１が設けられた多機能携帯端末２３と、これを収納してなるケース２４（カバーを含む）とで携帯品２２を形成している。
ケース２４のカメラレンズが露出される撮影用開口２５の外側からストッパー８を入れケース２４の背面板に開口されたケースの開口窓２６の外に出した状態にして（図２参照）、多機能携帯端末２３をケースの正面に開口されている開口窓２６から押し込み収納する。このとき、紐部材４は多機能端末２３とケース２４の内壁に挟持状態にされ、そのストッパー８側はケースの開口窓２６と多機能携帯端末２３の間から外に出て、ストッパー８はケース２４と多機能携帯端末２３の正面側外に出ている状態となる（図３の上図）。
紐取り付け物品２を引いて紐部材４を引き移動させ、ストッパー８を多機能携帯端末２３とケース２４に当接させる（図３の下図）。
伸縮性リング３を指ないし掌に掛けた状態で、携帯品２２をその掌に持って該携帯品２２を操作している状態で、携帯品２２を手から落とした状態では、落下する携帯品２２の重量で紐部材４は緊張しストッパー８は多機能携帯端末２３とケース２４に押しつけられることになり、かつ、ストッパー８が開口窓２６から内側への凸部位を形成する。よって、前記凸部位の引っ掛かりと押しつけ機能によって多機能携帯端末２３が開口窓２６から外れ難くするものである。
ケースにはカバーを含むものである。
【００２０】
図４を参照して、携帯ストラップ１の携帯品２８への取り付け方例を説明する。
多機能携帯端末２３と、この多機能携帯端末２３を正面の開口窓２６から押し込み収納し、側面角に携帯ストラップの紐を通し取り付ける紐通し取付け部３０（多機能携帯端末２３に設けてなるものもある）を有してなるケース２９とで携帯品２８を形成している。
紐部材４を折り畳みの一対形態にして紐通し取付け部３０に通し抜けさせて、出た部位を広げて潜らせループ３１を形成し、この潜らせループ３１にストッパー８を潜らせ状態にして（図４の上図参照）、紐取り付け物品２側を引っ張って潜らせループ３１を収縮締めて該潜らせループ３１からストッパー８が抜けない状態にして（図４の下図参照）携帯ストラップ１を取り付け状態とする。
【００２１】
紐取付け物品２に設けられた、１本の紐部材４は通すが該紐部材４の結び目５を通さない径ないし形態の紐通し結び目止め孔６によって、紐部材４がささくれ立って切れそうになったら該紐部材４を切断して取り除き、紐部材４が切断してしまったら取り除き、あるいは紐部材４の長さが不適当で好みの長さの紐部材４に変えたい場合は紐部材４を切断して取り除き、新しい紐部材を紐通し結び目止め孔６に通し結び目５を形成して、抜けないように新たな紐部材４を取り付けた携帯ストラップ１を形成できる。
また、紐部材４を切断取り除いてあるいは紐部材４を付けたまま、ヘアーゴム輪、指輪あるいはブレスレットとして使用できる。
【００２２】
紐取り付け物品２は、携帯ストラップ用の物品として、あるいは紐部材４を取り付けて携帯ストラップにできる髪を束ねるヘアーゴム輪用の物品として単独で提供することができるものである。
【００２３】
図１の左図に示すような、紐部材４を設けない形態とした場合、コイル接合部１４が破断し難いないし破断しない髪を束ねるヘアーゴム輪３４として提供することが可能であり、紐部材４およびストッパー８を取り付けることにより、好みの紐の長さの携帯ストラップ１を形成することができる。すなわち、紐部材４を切断する鋏や爪切りがあれば、誰でもが簡単・容易・素早く携帯ストラップを作ることができる。
このことは、以下に述べる実施例においても同様である。
【００２４】
長めの紐部材４を添付形態で提供し、使用者自らが好みの長さの紐部材にして一方の側を紐取り付け物品２に取り付け、他方の側にストッパー８を取り付けて携帯ストラップ１を完成させて使用できるようにするのもよい。このような、紐部材を紐取り付け物品に取り付けない分離形態で包装容器に入れられた形態で提供されるものも、本発明の技術的範疇に含まれるものである。
このことは、以下に述べる実施例においても同様である。
【００２５】
一本の指に掛ける指輪形態で使用するのであれば、内径が１５ｍｍ〜２３ｍｍ程度で締め付け力が強くない弱いものとするのがよく、指より太くぶかぶかでも、その指の左右の指の間に伸縮性リング３が挟持形態とされるので、何ら問題なく保持される。使用感および指への装着感を考慮するなら、指を入れる時に、伸縮性リング３がめくれず抵抗なく素早く軽快・スムーズに入るようにするのが良く、その場合の伸縮性リング３の内径２７は１８ｍｍ〜２４ｍｍ程度がよく、好ましくは１９ｍｍ〜２２ｍｍ程度がよく、より好ましくは２０ｍｍ〜２１ｍｍ程度とし、紐部材４とストッパー８を設けない構成とすることにより、紐取り付け物品２は飾り物品となり、一本の指に装着した場合には該飾り物品（紐取り付け物品２）がアクセント飾りである指輪となる。
【００２６】
このような形態とすることによって、伸縮性リング３を一本の指に長時間掛けたままにしておくことが可能となり、これによって、携帯品をその手に緊張感なく優しく長時間持ったままでの携行を可能とするものである。そして、適当な指に紐部材４を軽く絡めるなり軽く押さえ付け状態とすることで、その手持ち感をより手にフィットさせた、指のより弱い緊張感のない指を携帯品に添えるだけの、落ちる心配のない安心感のある手に持ったままの携行を実現するものである。
これは、いつでもどこでも素早く操作ができる、マナーモードでも確実に着信を知り素早く安全委応対することを可能とするものである。
【００２７】
また、指に伸縮性リング３を装着した状態で、携帯品を耳に当て電話をしている通話状態や、画面をタッチしながらメールやインタネットやアプリの指タッチ操作等をした状態では、指輪である伸縮性リング３は使用者に向いている対向看者からみると略真正面に向かい形態で位置されるので、伸縮性リング３が異様に目に付く目立つものとなる。伸縮性リング３に宝石状部材、キャラクタの顔、広告物などを設けることにより、それらが、対向看者に強くアピールすることになり、強く印象付けられたものにできる。
【００２８】
≪伸縮性コイルリングとしての発明≫
［付記１]
従来、髪を束ねるヘアーゴム輪あるいは携帯ストラップに使用されるなどの、合成樹脂製あるいはゴム製の棒状のコイルスプリングの両端を突き合わせて溶着、融着あるいは接着によって該両端を接合連結して接合部を形成し、それによってリング形態に形成してなる伸縮性コイルリングが知られている。
この従来の伸縮性コイルリングは、接合部の接合不良によって接合部が破断してしまうことが起きる危険を有するという欠点を有するものであった。
この、伸縮性コイルリングの発明は、接合部に接合不良があっても容易には破断しない伸縮性コイルリングを提供することを目的としている。
[ａ]合成樹脂製あるいはゴム製の棒状のコイルスプリングの両端を突き合わせて溶着、融着あるいは接着によって該両端を接合連結して接合部を形成し、それによってリング形態に形成してなる伸縮性コイルリングにおいて、
前記接合部を有するコイル部位と、この接合部を有するコイル部位の隣のコイル部位を一体化してなる一体化コイル部位群を設けてなることを特徴とする伸縮性コイルリング。
（定義）
一体化の方法としては、細い糸を何回も巻いて一体化コイル部位群を結束し、かつ、巻いた糸に瞬間接着剤などの粘性の弱い浸み込み易い接着剤ないし硬化剤を浸み込ませて行う方法がある。その他、コイル部位同士の溶着、融着あるいは接着による接合、各種紐、各種テープ、各種バンド、あるいはリング材による結束などがある。
（効果）
接合部を有するコイル部位と隣のコイル部位を一体化することによって、接合部への引っ張り力の軽減を図ることができ、よって接合部が破断し難い伸縮性コイルリングを実現するという効果を奏する。
[ｂ]一体化コイル部位群が、接合部を有するコイル部位を真ん中にしてその両側にコイル部位を一体化してなる一体化コイル部位群であることを特徴とする請求項[ａ]記載の伸縮性コイルリング。
（効果）
引っ張り力は接合部を有するコイル部位には殆ど作用せず、接合部を有さない両隣のコイル部位に分散されて作用するので、接合不良の接合部であっても該接合部が破断することが殆ど生じないとうい効果を奏する。
【００２９】
[付記２]
従来、携帯ストラップに指、掌あるいは手首に掛ける伸縮性リングを設けたものが知られている。
従来の伸縮性リングは、棒状の伸縮性紐材の両端を突き合わせて融着、溶着あるいは接着などによる接合部によってリング形態にしているものであるため、接合部の接合不良によって接合部が破断してしまうことが起きる危険を有するという欠点を有するものであった。
この、携帯ストラップの発明は、接合部に接合不良があっても容易には破断しない伸縮性コイルリングを有する携帯ストラップを提供することを目的としている。
[ア]紐取り付け物品と、
この紐取り付け物品に直接的にあるいは他の部材を介して間接的に取り付けられた、指あるいは手首に掛けることができ、棒状の伸縮性紐材の両端を突き合わせて融着、溶着あるいは接着などによる接合部によってリング形態に形成されてなる伸縮性リングと、
前記紐取付け物品に設けられた、携帯電話、携帯カメラあるいはそれらのケースなどの携帯品に取り付けられることを可能としている紐部材と、
前記紐取り付け物品に設けられた、前記伸縮リングを通し取り付けるためのリング通し取付け部とからなるとともに、
このリング通し取付け部内に前記接合部が位置された状態で前記伸縮性リングが取り付けられ、前記リング通し取付け部内に接着剤あるいは合成樹脂製部材などの固定材によって、前記接合部が前記リング通し取付け部内に移動できないように固定されてなることを特徴とする携帯ストラップ。
（効果）
伸縮性リングの接合部が、接着剤あるいは合成樹脂製部材などの固定材によってその連結を強化しかつリング通し取付け部内に移動できないように固定されてので、接合部で破断することが起き難いものを実現するという効果を奏する。
【００３０】
[付記３]
前記[付記３]あるいは[付記２]の発明において、伸縮性リングが指輪であることを特徴とするものもよい。
【実施例２】
【００３１】
図５に示す実施例２において前記実施例１と主に異なる点は、紐部材を幅４ｍｍ以下、厚み０．３ｍｍ以下のリボンなどの平紐部材からなる紐部材４７としてなる携帯ストラップ３６を形成した点にある。
正面および背面を開口してなるケース３８と、このケース３８に収納してなる携帯品（図示せず省略）に、紐部材４７が挟持された形態で取り付けられる。
紐部材４７が０．３ｍｍ以下の薄さであるので、ケース３８の膨れ歪みを少なくでき、ケース３８内に収納される多機能携帯端末２３の浮き上がりを少なくできる。
【実施例３】
【００３２】
図６に示す実施例３において前記実施例１と主に異なる点は、紐部材をループ形態の紐部材４０とし、紐通し結び目止め孔を、紐部材４０を形成する紐部材が２本は通るが３本は通らない孔径とした紐通し結び目止め孔４１とし、結び目収納部を紐部材を二本合わせて形成した結び目を収納する孔径と深さの結び目収納部４２とし、紐部材４０の両端を合わせて紐通し結び目止め孔４１に通して結び目収納部４２から出して、紐部材４０の両端側を合わせた状態で結び目４３を形成し、余計な部位を切り除いて結び目４３を結び目収納部４２に引き込み収納し、一体化コイル部位群１３に変えて、一体化手段７による結束をしない複数コイル掛かり形態の掛かりコイル部位群４６とした携帯ストラップ４４を形成した点にある。
紐部材４０には該紐部材４０上を移動自在にしてなるストッパー４５（設けない形態もよい）が設けられている。
コイル取付け部９にコイル部位が三つ通された掛かりコイル部位群４６を形成しているので、伸縮性コイルリング３が引っ張られた場合には、掛かりコイル部位群４６の左右最端のコイル部位がそれぞれ複数コイル部位掛かり部９に当たり、その当たり部位の２か所に引っ張り力が集中分散され、かつ、掛かりコイル部位群４６の複数のコイル部位が収縮して引っ張られるのでそのショックを軽減するように機能する。よって、中央に位置する接合部１４を有するコイル部位に掛かる引っ張り力を低減分散することによって、伸縮コイルリングの破断をし難くしている。
紐通し結び目止め孔４１を、紐部材４０を形成する紐部材が２本通るが、その結び目は通らない口径ないし形態のものとしてもよい。
また、紐通し結び目止め孔を、紐部材４０を形成する紐部材が非ループの１本は通る口径ないし形態の第１の紐通し結び目止め孔と第２の紐通し結び目止め孔からなる複数紐通し結び目止め孔形態とし、紐部材の一方の側を第１の紐通し結び目止め孔に通し結び目収納部４２から出して第１の結び目を形成し、紐部材の他方の側を第２の紐通し結び目止め孔に通し結び目収納部４２から出して第２の結び目を形成してループ形態の紐部材４０を形成するのもよい。この複数紐通し結び目止め孔形態では、第１の紐通し結び目止め孔、第２の紐通し結び目止め孔のいずれかの紐通し結び目止め孔に非ループの一本紐形態で紐部材を通して一本紐形態の携帯ストラップとすることも可能としている。紐通し結び目止め孔を三つ設け一本紐形態の場合は真ん中の紐通し結び目止め孔を使用するようにするのもよい。
【実施例４】
【００３３】
図７に示す実施例４において４７は携帯ストラップであって、この携帯ストラップ４７は次に述べるような構成となっている。
指に指輪形態でつけることができるあるいは手首にブレスレット形態でつけることができる伸縮性リング３と、
物品本体４８、この物品本体４８の上部から下に向けてあけられた貫通孔である、非ループの１本紐形態の紐部材４は通すが該紐部材４の結び目５（一回結び）は通さない径の紐通し結び目止め孔６、この紐通し結び目止め孔６に連絡された貫通横孔である伸縮性リング３のコイル部位を通す形態で取り付けている伸縮性リング取り付け部４９を有する紐取り付け物品５０と、
一方端を紐通し結び目止め孔６に入れ伸縮性リング取り付け部４９（「結び目収納部」としても機能している）から外に出し、外に出た部分に結び目５を形成し、余計な部分を切り除いて伸縮性リング取り付け部４９に収納して取り付けられた非ループの１本形態の紐部材４と、
この紐部材４の他方端に取り付けられたストッパー８とからなっている。
コイル部位は伸縮性リング取り付け部４９内を移動可能な形態となっている。
【実施例５】
【００３４】
図８に示す実施例５おいて５２は髪を束ねるヘアーゴム輪であって、このヘアーゴム輪５２は次に述べるような構成となっている。
指に指輪形態でつけることができるあるいは手首にブレスレット形態でつけることができる伸縮性リング３と、
物品本体１０、この物品本体１０の上部から下に向けてあけられた縦形態の貫通孔である、非ループの１本紐形態の紐部材４は通すが該紐部材４の結び目５は通さない径の紐通し結び目止め孔６、この紐通し結び目止め孔６に連絡された貫通横孔（止まり穴でも良い）である、紐部材４の結び目５の全部を収納する深さの結び目収納部１１、物品本体１０の結び目収納部１１の下方である該結び目収納部１１とは別箇所に設けた貫通横孔形態であり、伸縮性リング３の複数（ここでは三つ）のコイル部位を物品本体１０内に位置させ、接着剤、固着剤、合成樹脂部材などの充填、塗られないし入れられた（ここでは接着剤が充填されている）固定材からなる一体化手段５５によって該位置に固定されている伸縮性リング取り付け部５３とからなる紐取り付け物品５４となっている。
伸縮性リング取り付け部５３内に固定されている三つのコイル部位によって、一体化コイル部位群１３が形成される。
【００３５】
ヘアーゴム輪５２には紐部材４とストッパー８が添付されていて、紐通し結び目止め孔６から紐部材４の一方の側を差し込み通し結び目収納部１１から外に該一方の側を出し、その出した部位に結び目５を形成して余分な部位を切り除き、結び目５を結び目収納部１１何に引き込み収納し、紐部材４の他方の側にストッパー８を取り付けて携帯ストラップ５６を形成することが可能となっている。
【００３６】
指一本への素早くスムーズな装着・取り外しを実現するために、伸縮性リング３の内径を１５ｍｍ程度〜２３ｍｍ程度とするのがよく、好ましくは２１ｍ前後とするのがよく、紐部材４とストッパー８を設けない構成とすることにより、紐取り付け物品５４は飾り物品となり、一本の指に装着した場合には該飾り物品（紐取り付け物品５４）がアクセント飾りである指輪となる。
指輪である場合は、結び目収納部１１、紐通し結び目止め孔６は無い形態でもよい。
また、紐通し結び目止め孔６のような孔を飾り物品（紐取り付け物品５４）に１つないし複数設け、これにゴム棒部材を差し込み、このゴム棒部材の上部にキャラクタ、ハートなどの飾り、宝石状の飾りなどを取付け、ふらふらと触れるかざりとするのもよい。
また、飾り物品（紐取り付け物品５４）の上部に大きな宝石状の飾りを接着して設けるとか、小さな宝石状部材で飾り立てるなどすることができる。
ヘアーゴム輪５２はソフトスプリング製の指輪とするのもよい。
【００３７】
以下に説明する実施例にあっては、紐部材４の他方の側にストッパー８を有さないヘアーゴム輪は、本実施例と同様に紐部材４とストッパー８を取り付けて携帯ストラップを形成することが可能となっているものであり、その説明を省略する場合もある。
【実施例６】
【００３８】
図９に示す実施例６おいて、前記実施例５と主に異なる点は、紐取り付け物品を、伸縮性リング取り付け部５３を設けない形態とし、結び目収納部１１を伸縮性リング取り付け部を兼任する形態とした取り付け物品５６とし、伸縮性リングを一本のゴム紐の両端を突き合わせ融合あるいは溶着により接合連結して、該接合連結の部位を接合部５９としたゴム輪からなる伸縮性リング５７にしたヘアーゴム輪５８を形成した点にある。
【実施例７】
【００３９】
図１０に示す実施例７おいて、前記実施例５と主に異なる点は、伸縮性リングを伸縮性リング５７にしたヘアーゴム輪６０を形成した点にある。
接合部５９は伸縮性リング取り付け部５３内に位置され充填された固定材５によって固定状態とされ、接合部５９の接合が破断しないようにされている。
【実施例８】
【００４０】
図１１に示す実施例８おいて、前記実施例６と主に異なる点は、伸縮性リングを、ビーズ６１を数珠状に通した細めのゴム紐６２の両先端を結び結束してなる接合部６３を有する伸縮性リング６４にし、取り付け物品を、取り付け物品５６の下部側に結び目収納部１１に連絡された固定材充填口１５を設けた取り付け物品６５としたヘアーゴム輪６６を形成した点にある。
接合部６３を結び目収納部１１内に位置させ、接着剤ないし合成樹脂製部材などの固定材を固定材充填口１５から充填し、接合部６３の接合状態と位置を結び目収納部１１内に固定することが可能となっている。
【実施例９】
【００４１】
図１２に示す本発明の実施例９おいて、前記実施例１と主に異なる点は、取り付け物品を、両側面が開口してなる物品本体６８と、この物品本体６８の前記両側面開口を連絡してなるリング通し空間部６９と、物品本体６８の上部を形成している上部７０と、この上部７０に上方から下方に向けて貫通形態で設けられた、紐部材４は通すがその結び目５は通さない径ないし形態の上部紐通し結び目止め孔７１と、物品本体６８の上部面を形成する前部７２と、この前部７２の上部側を内側に延長してなる内側突出部位７３と、この内側突出部位７３および前部７２と上部７０の間に形成されたゴム輪を出し入れ自在とするゴム輪上部側通し部７４と、内側突出部位７３と物品本体６８の背部７５の間に形成された、ゴム輪上部側通し部７４と連絡されてなるゴム輪背部側通し部７６と、このゴム輪背部側通し部７６に連絡された、該ゴム輪背部側通し部７６の下方に形成された伸縮性リング３を通し取り付けてなる伸縮性リング取り付け部７７と、内側突出部位７３の上面から下面に貫通形態で設けられた、紐部材４は通すがその結び目５は通さない径ないし形態の突出部側紐通し結び目止め孔７８とからなる取り付け物品７９とした携帯ストラップ８０を形成した点にある。
【００４２】
図１２のように、突出部側紐通し結び目止め孔７８まで通した紐通し形態では、ゴム輪上部側通し部７４は紐部材４によって塞がれ、伸縮性リング３を取り付け物品７９から外すことはできない。
突出部側紐通し結び目止め孔７８に通さない、上部紐通し結び目止め孔７１のみの紐通し形態では、伸縮性リング３はゴム輪上部側通し部７４から出し入れ自在とされ、いつでも好みの伸縮性リングに交換することができる。
上部紐通し結び目止め孔７１、突出部側紐通し結び目止め孔７８の下部側に結び目５を収納し該結び目５が外からは見えないように隠す結び目収納部を設ける形態とするのが美観状および結び目５から出ている紐先端のほつれの拡大を防止する点で良いものである。
【実施例１０】
【００４３】
図１３に示す実施例１０おいて、８２は携帯ストラップであって、この携帯ストラップ８２は、コイル接合部１４を有するコイル部位と、その両隣のコイル部位の三つのコイル部位を結束部材８３によって結束してなる一体化コイル部位群１３を有する伸縮リング９２と、プレート部材ないしシート部材をＵ字形態に折り曲げあるいは形成してなる物品本体８１、この物品本体８１の胴部であり伸縮リング９２を通し掛け状態に取り付けているコイル取付け部８４、物品本体８１の上部に形成された向かい離れ形態の吊り部位８５、８６、この吊り部位８５、８６に形成されてなる紐通し結び目止め孔８７、８８とからなる紐取付け物品８９と、紐通し結び目止め孔８７、８８に通された紐部材４と、この紐部材４の両端に設けられたストッパー８と同様な紐通し止め形態のストッパー９０、９１とからなっている。
紐部材４を切断し紐取付け物品８９を除いて、伸縮リング９２のみとしてヘアーゴム輪あるいはソフトスプリング指輪として使用することが可能である。
この場合、伸縮リング９２と、紐部材４と、紐取付け物品８９、ストッパー９０、９１は分離した形態で提供されるようにするのがよい。
【００４４】
あらかじめ紐部材４にストッパー９０、９１を取り付けた両側ストッパー付き紐部材を形成しておいて、前記実施例１の図４のように、紐部材４を折合わせて背面側の紐通し結び目止め孔８７の紐入れ口から入れ、紐通し結び目止め孔８８の正面側の紐出し口から出し通し抜けさせ、抜け部位を広げて潜らせループ３１を形成して、この潜らせループ３１にストッパー９０、９１のいずれかを通して、あるは両方を通して潜らせストッパーをし、潜らせループ３１を締めて潜らせストッパーが抜けない状態にして取り付け状態とすることもできる。
この場合は、両側ストッパー付き紐部材が締め状態にある潜らせループ３１を広げて、ストッパー９０、９１を広げた潜らせループ３１に抜け通しさせることで、両側ストッパー付き紐部材と、紐取付け物品８９と、伸縮リング９２を簡単に分離でき、伸縮リング９２のみをヘアーゴム輪として利用可能とできる。
【００４５】
一体化コイル部位群１３は、結束部材を使用せず、三つのコイル部位を溶着、融着、接着あるいはろう付け（金属製部材の場合）などによって一体化してなる一体化コイル部位群１３を形成するのもよい。
また、紐取付け物品８９側には一体化コイル部位群１３は必要なく、紐取付け物品８９によるコイル部位の係わりは一本コイル部位でもよく、その支持形態は移動自在支持形態としているが、移動できないよう接着剤や結束部材などによる固定形態とするのもよい。
【実施例１１】
【００４６】
図１４に示す実施例１１おいて、前記実施例１と主に異なる点は、紐取付け物品を、物品本体を二つの駒体である第１の物品本体９４と第２の物品本体９５からなる紐取付け物品９６とした携帯ストラップ１０２を形成した点にある。
第１の物品本体９４は、上部側に結び目収納部１１ａを設け、結び目収納部１１ａの上部に該結び目収納部１１ａに連絡する紐通し結び目止め孔６が設けられ、結び目収納部１１ａの下方側に伸縮性リング３の三つのコイル部位に通されて一体化コイル部位群１３を形成するコイル取付け部９７ａが設けられ、上部に嵌め込み突起９８が設けられ、下部に嵌め込み突起９９が設けられた構成となっている。
第２の物品本体９５は、上部側に結び目収納部１１ｂを設け、結び目収納部１１の下方側に三つのコイル部位に通されて一体化コイル部位群１３を形成するコイル取付け部９７ｂが設けられ、上部に嵌め込み突起９８が嵌合される嵌合穴１００が設けられ、下部に嵌め込み突起９９が嵌合される嵌合穴１０１が設けられた構成となっている。
【００４７】
嵌合穴１００と嵌合穴１０１に接着剤を少し入れておいて、伸縮性リング３の三つのコイル部位にコイル取付け部９７ａとコイル取付け部９７ｂ位置させておいて、嵌め込み突起９８を嵌合穴１００に嵌合させ、嵌め込み突起９９を嵌合穴１０１に嵌合させ、第１の物品本体９４と第２の物品本体９５を突き合わせ接合し、一体化コイル部位群１３を形成し掛け状態とした紐取付け物品９６を形成する。
結び目収納部１１ａと結び目収納部１１ｂが連結して結び目収納部１１を形成する。
コイル取付け部９７ａとコイル取付け部９７ｂが連結してコイル取付け部９７を形成する。
紐取り付け物品９６は一体化コイル部位群１３を結束ないし挟持押し圧によって形成する一体化手段である。
【００４８】
紐取付け物品９６の技術的思想は、物品本体を第１の物品本体と第２の物品本体を接合することによって、コイルリング形態の伸縮性リングの複数のコイル部位分をまとめてなる一体化コイル部位群を形成するところにあるものである。
接合形態は、単に接合面同士を接着剤により接着する面接着接合形態、突起体と該突起体を嵌合する嵌合穴とからなる嵌合形態、溝と該溝に嵌る凸部とからなる嵌合形態、顎と該顎の掛かる顎掛かり部位とによる掛かり形態など多様な形態を含むものである。
紐取り付け物品９６のコイル取付け部位９７ａとコイル取付け部位９７ｂは一体化コイル部位群１３のコイル内に位置された形態となっているので、伸縮性リング３が指輪であるばあい、付けた指には伸縮性リング３のコイル部位の内側面が指に接触してコイル取付け部位９７ａとコイル取付け部位９７ｂは指に接触しない形態を実現しているものである。これによって、指への硬い物の接触による違和感を感じさせない形態を実現しているものである。
【実施例１２】
【００４９】
図１５に示す実施例１２おいて、前記実施例６と主に異なる点は、伸縮性リングを伸縮性リング３とし、取り付け物品５６と伸縮性リング３との連結をコイル取付け部１０４で行ってなるヘアーゴム輪１０７を形成した点にある。
コイル取付け部１０４は、コの字形態の右側掛け部形成体１０５と、逆コの字形態の左側掛け部形成体１０６と、右側掛け部形成体１０５の上部バーに突出形態で設けられた嵌め込み突起９８と、右側掛け部形成体１０５の下部バーに突出形態で設けられた嵌め込み突起９９と、左側掛け部形成体１０６の上部バーに設けられた嵌合穴１００と、左側掛け部形成体１０６の下部バーに設けられた嵌合穴１０１とからなっている。
嵌合穴１００と嵌合穴１０１に接着剤を少し入れておいて、伸縮性リング３の三つのコイル部位に右側掛け部形成体１０５の下部バーと左側掛け部形成体１０６の下部バーを伸縮性リング３の三つのコイル部位のコイル孔に位置させ、かつ、右側掛け部形成体１０５の上部バーと左側掛け部形成体１０６の上部バーを結び目収納部１１内に位置させ、嵌め込み突起９８を嵌合穴１００に嵌合させ、嵌め込み突起９９を嵌合穴１０１に嵌合させ、右側掛け部形成体１０５と左側掛け部形成体１０６を突き合わせ接合し、三つのコイル部位を当接しないし押し圧によってくっ付けてなる一体化コイル部位群１３を形成し掛け状態としたコイル取付け部１０４を形成する。
よって、コイル取付け部１０４は一体化コイル部位群１３を形成する一体化手段である。
紐部材４とストッパー８を取り付けて携帯ストラップにできるものであることは言うまでもない。
また、紐部材４の一方に大きめの飾りを付け、他方を取り付け物品５６に取り付けた飾り付きヘアーゴム輪として使用できる。
しかるに、ヘアーゴム輪１０７をソフトスプリング製の指輪とするのもよい。
【実施例１３】
【００５０】
図１６に示す実施例１３おいて、前記実施例６と主に異なる点は、コイル取付け部を紐部材からなるコイル取付け部１０８してなるヘアーゴム輪１０９を形成した点にある。
コイル取付け部１０８は、紐部材を結び目収納部１１にまず通し、両側を伸縮性リング３の三つのコイル部位に通し本結び形態である結び目１１０を作り締めて、この結び目１１０に瞬間接着剤を浸み込ませ硬化させ、余分な部位をニッパーで取り除いて、一体化コイル部位群１３を形成したものである。
コイル取付け部１０８は一体化コイル部位群１３を形成する結束部材からなる一体化手段である。
もある。
一体化コイル部位群１３の三つのコイル部位は多めの瞬間接着剤の流れ込みで接着接合状態とされるが、コイル部位の外側から瞬間接着剤を塗布して一体化コイル部位群１３のコイル部位接合を強化するのがよい。
紐部材４とストッパー８を取り付けて携帯ストラップにできるものであることは言うまでもない。
結び目１１０は、一回交差の結びで瞬間接着剤を浸み込ませ固めたもの、二回交差の結び、継結びなど多様な結び形態のものを含む。
結び目１１０は一体化コイル部位群１３のコイル内に位置されているので、指輪とした場合では指に結び目１１０が当たることがない形態を実現している。
【実施例１４】
【００５１】
図１７に示す実施例１４おいて、前記実施例１と主に異なる点は、コイル取付け部をナイロン製の紐部材からなるコイル取付け部１１２してなる携帯ストラップ１１３を形成した点にある。
ナイロン製の紐部材を伸縮性リング３の三つのコイル部位に通し、その一方の側を通し固定部１２の一方側から通し抜けさせ、その他方側を通し固定部１２の他方の側から通し抜けさせ、他方側を通し固定部１２の左右から出た紐部材部位を引いて締め状態にして、通し固定部１２内に接着剤１１４を流入させ硬化固定化させ、余分な部位を切断取り除いて、一体化コイル部位群１３を形成したものである。
コイル取付け部１１２は一体化コイル部位群１３を形成する結束部材からなる一体化手段である。
紐部材４とストッパー８を取り除いてヘアーゴム輪として使用できるものであることは言うまでもない。
コイル取付け部は一体化コイル部位群１３のコイル内に位置されているので、指輪とした場合では付けた指にコイル取付け部が当たることがない形態を実現している。
【００５２】
指輪である場合は、結び目収納部１１、紐通し結び目止め孔６は無い形態でもよい。
また、紐通し結び目止め孔６のような孔を飾り物品（紐取り付け物品１）に１つないし複数設け、これにゴム棒部材を差し込み、このゴム棒部材の上部にキャラクタ、ハートなどの飾り、宝石状の飾りなどを取付け、ふらふらと触れるかざりとするのもよい。
また、飾り物品（紐取り付け物品１）の上部に大きな宝石状の飾りを接着して設けるとか、小さな宝石状部材で飾り立てるのもよい。
【実施例１５】
【００５３】
図１８に示す実施例１５おいて、前記実施例１と主に異なる点は、紐部材４と、ストッパー８を取り付けていない形態として、紐部材４は数回の使用分ないし長いストラップ形態とできるように５０ｃｍ程度の長さとしている。
紐部材４と、ストッパー８を取り付けていない残り部位を、ここではヘアーゴム輪３４として表現する（指輪でもよい）。
透明な袋である包装容器１１６に、ヘアーゴム輪３４が１個と、紐部材４が１本と、ストッパー８が１個と、一箇所を延ばしてなる針金クリップ１１７が１本とが収納されている。
針金クリップ１１７は、結び目収納部１１、結び目収納部１９内の結び目５を押し出すためのものである。
このような分離されて、一つの包装容器に収納されて提供される形態は、携帯ストラップともヘアーゴム輪とも指輪とも言える。
【実施例１６】
【００５４】
図１９に示す実施例１６おいて、前記実施例１と主に異なる点は、ストッパー８に変えて、紐部材４に多機能携帯端末２３のイヤホンジャック（図示せず省略）に差し込むプラグ１１８（電気的接続は無い）を有するプラグ付き装飾物品１１９を設けてなる携帯ストラップ１２０を形成した点にある。
プラグ付き装飾物品１１９をイヤホンジャックから外しても、紐部材４によって携帯品２２に繋がれた状態であるので紛失する心配がない。
ケース２４の底面部には撮影用開口２５とは別に開口部３５が設けられ、プラグ付き装飾物品１１９は該開口部３５を通して紐部材４も通した状態で取付けている。
【実施例１７】
【００５５】
図２０に示す実施例１７おいて、前記実施例１と主に異なる点は、紐部材４にイヤホンのイヤホンコード（図示せず省略）を巻き付け、該巻き付け状態を保持させておくことが可能なコード巻き付け具１２１を設けてなる携帯ストラップ１２６を形成した点にある。
コード巻き付け具１２１は、シリコンゴム製部材で一体成型によって形成されたもので、紐部材４を通す紐通し取付け孔１２７、１２８を有する取付け部１２５と、この取付け部１２５に設けられたコード巻き取り部１２４と、このコード巻き取り部１２４にまかれたコードが外れず保持されるようにするための、コードが出るのを止めかつコードを外に強めに引くと口をその弾性力に抗して広げて出すことができるコード止め出し入れ口１２２、１２３とからなっている。
コード巻き付け具１２１の全体形状は長方形体で、紐通し取付け孔１２７と紐通し取付け孔１２８は交差形態で連絡され（別穴でもよい）、紐通し取付け孔１２７が長い孔で紐通し取付け孔１２８は短い孔であり、
コード巻き付け具は長方形に限定されず、円形体、正方形体、コード止め出し入れ口を有する部位が花びら形態部位や星形態部位などの突出部位に形成された形態など、多様な形態のものがある。
【実施例１８】
【００５６】
図２１に示す実施例１８おいて、前記実施例１３と主に異なる点は、コイル取付け部１１２を設けない構成とし、伸縮性リングを非伸縮性のリング１３０とし、リング１３０を結び目収納部１１に通した形態で設け、紐部材４とストッパー８を取り付けてなる携帯ストラップ１３１を形成した点にある。
リングは略非伸縮性の軟質部材（例えばシリコンゴム製部材）からなるもの、ワイヤなどの線部材にソフト部材を被覆したものなど多様な素材や素材の組み合わせ形態がある。
【実施例１９】
【００５７】
図２２に示す実施例１９おいて、１３３は携帯ストラップであって、この携帯ストラップ１３３は、紐取り付け物品１３４と、この紐取り付け物品１３４と一体成型によって一体的に形成されてなる指に指輪形態でつけることができるあるいは手首にブレスレット形態でつけることができる略非伸縮性のリング１３５と、紐取付け物品１３４の上部から下方に向けてあけられた、１本の紐部材４は通すが該紐部材４の結び目５を通さない径の紐通し結び目止め孔６と、この紐通し結び目止め孔６に連絡された紐取付け物品１３４の側面から対抗側面に貫通孔形態で設けられた、結び目５の全部を収納する形態の結び目収納部１１と、紐通し結び目止め孔６に通されて結び目収納部１１から出た部位に結び目５を形成して紐通し結び目止め孔６から抜けないように取付けられてなる紐部材４と、この紐部材４の他方の端方に取り付けられてなるストッパー８とからなっている。
【実施例２０】
【００５８】
図２３に示す実施例２０おいて、１３７は携帯ストラップであって、この携帯ストラップ１３７は、物品本体１０、この物品本体１０の上部側に設けられた結び目５の全部を収納する貫通横孔形態の結び目収納部１１、物品本体１０の上部から下方の結び目収納部１１に連絡するように設けられた、１本の紐部材４は通すがその結び目５は通さない径の紐通し結び目止め孔６、物品本体１０の下部を構成するリング固定部１３８とからなる紐取り付け物品１３９と、リング固定部１３８に両先端を同じ方向に合わせ揃える形態で固定取付けされてループ形態とされたバンド部材からなるリング１４０とからなっている。
紐通し結び目止め孔６には紐部材４が通し取り付けられ、該紐部材４の他方側にはストッパー８が取り付けられている。
【実施例２１】
【００５９】
図２４、図２５に示す実施例２１おいて、前記実施例１３と主に異なる点は、取り付け物品を紐通し結び目止め孔１４２とした紐取付け物品１４３とし、紐部材４の一方の側に紐通し結び目止め孔１４２を通らない形態のストッパー１４４を取り付け、かつ、他方の側に紐通し結び目止め孔１４２を通らない形態のストッパー１４５を取り付けた形態の両側ストッパー付き紐部材１４６を添付してなる携帯ストラップ１４７を形成した点にある。
ストッパー１４４、ストッパー１４５は、ストッパー８と同様に結び目収納部１９と紐通し結び目止め孔２０を有する構成のものである。
紐通し結び目止め孔１４２は、上部に正面、上面および背面を開口する形態で形成された縦溝の中途に設けられた金属製の棒部材１４８によって形成されている。棒部材１４８は中央より少し正面側に位置され、両側ストッパー付き紐部材１４６で吊り状態糸したときに、棒部材１４８に当接する紐部材が伸縮性リング３の縦中央線状に位置されるようにしている。
【００６０】
両側ストッパー付き紐部材１４６の紐部材４を、折り畳み形態の一対形態にして、紐通し結び目止め孔１４２の紐入れ口から入れ紐出し口から出して紐通し結び目止め孔通し抜け状態にし、紐出し口から抜け出た紐部材部位を広げて潜らせループ１４９を形成し（図２５の（ａ）図参照）、この潜らせループ１４９にストッパー１４４を潜らせて潜らせストッパーとし（図２５の（ｂ）図参照）、ストッパー１４４側を引いて潜らせループ１４９を締めて潜らせストッパー（ストッパー１４４）が抜けないようにして取り付けている。
【００６１】
一対形態で紐通し結び目止め孔１４２に通し潜らせループ１４９を形成し、この潜らせループ１４９にストッパー１４４を潜らせ締めて両側ストッパー付き紐部材１４６を紐取付け物品１４３に取り付けた取付け形態であるので、潜らせループ１４６を広げるストッパー１４４を戻し潜らせることで簡単に両側ストッパー付き紐部材１４６を紐取付け物品１４３から外すことが簡単にできるものであるので、好みのストッパーデザインあるいは好みの紐長さの両側ストッパー付き紐部材に交換することを可能にしている。
また、両側ストッパー付き紐部材１４６を外して髪を束ねるヘアーゴム輪として使用する、両ストッパーを大きめのデザイン性のあるものにした両側ストッパー付き紐部材にして、紐取付け物品に取り付けた状態のヘアーゴム輪として使用できる。
【実施例２２】
【００６２】
図２６に示す実施例２２おいて、前記実施例１と主に異なる点は、紐取り付け物品を、物品本体１０と、この物品本体１０の下部に設けられた底部と両側面を開口した伸縮性リング３の一部に被さる部位となるリング被さり部１５１と、このリング被さり部１５１の上部に設けた通し固定部１２と、この通し固定部１２の両側に形成された紐部材からなるコイル取付け部９がリング被さり部１５１内に収まって正面側および背面側からはコイル取付け部９が見えないように収納される部材収納部１５２、１５２と、物品本体１０の上部面から下方に向け通し固定部１２（「結び目収納部」としても機能）に連絡するように設けられた紐通し結び目止め孔６と、物品本体１０の背部側に設けられた横穴貫通形態の紐部材４（図示せず省略）の結び目が収納される結び目収納部１１と、物品本体１０の背面から結び目収納部１１に連絡するように設けられた非ループ一本形態の紐部材４は通すがその結び目は通さない紐通し結び目止め孔１５３とからなる紐取り付け物品１５４とし、紐通し結び目止め孔６にゴム棒製部材１５５を差し込み固定し、ゴム棒製部材１５５の先端にハート形態の飾り物品１５６を設け、紐部材４（図示せず省略）を紐通し結び目止め孔１５３に取付けてなる携帯ストラップ１５７を形成した点にある。
携帯品を持った手が少し動くごとに飾り物品１５６が振れ動きとても目立つ。
コイル取付け部９は一体化コイル部位群を結束して一体化状態にしている一体化手段である。
コイル取付け部９は一体化コイル部位群１３のコイル内に位置されているので、指輪とした場合では付けた指にコイル取付け部が当たることがない形態を実現している。
【実施例２３】
【００６３】
図２７〜図２９に示す実施例２３おいて、前記実施例２２と主に異なる点は、紐取り付け物品１５４と同じものである紐取り付け物品１５４ａ、１５４ｂを対抗する形態で伸縮性リング３に取付け、紐取り付け物品１５４ａには紐部材４とストッパー８を取付け、紐取り付け物品１５４ｂには大きなダイヤモンド状の飾り物品１５８を接着して設けてなる携帯ストラップ１５９を形成した点にある。
【００６４】
指に伸縮性リング３を装着した状態で、携帯品を耳に当て電話をしている通話状態や、画面をタッチしながらメールやインタネットやアプリの指タッチ操作等をした状態では、飾り物品１５８は使用者に向いている対向看者からみると略真正面に向かい形態で位置されるので、飾り物品１５８が際立って目に付く印象深いものとできる。（図２８参照）
【００６５】
図２９のように、紐部材４を取り外して純粋に指輪１６０として使用することもでき、紐部材４とストッパー８を取り付けることにより携帯ストラップ１５９にできるものである。
【実施例２４】
【００６６】
図３０に示す実施例２４おいて、前記実施例２２と主に異なる点は、ゴム棒製部材１５５および飾り物品１５６を設けず、紐通し結び目止め孔６に紐部材４を取付け、ディスプレイを拭くクリーナが裏面に設け、表面に広告表示１６２を設けてなる飾り物品１６３を、紐部材４に移動自在に取り付けてなる携帯ストラップ１６４を形成した点にある。
図３０ではディスプレイクリーナである飾り物品１６３は、該飾り物品１６３に設けられた紐通し孔に紐部材４を通す形態で取り付けられている。
飾り物品１６３にカニ環、引き環と呼ばれる開閉部を有する開閉部付き環部材を設けて、携帯ストラップ１６４あるいは伸縮性リング３の好みの箇所に着脱自在形態で設けるのもより。飾り物品は人形、フィギュア、民芸品など多種多様なものがある。
【実施例２５】
【００６７】
図３１に示す実施例２５おいて、前記実施例２２と主に異なる点は、ゴム棒製部材１５５および飾り物品１５６を設けず、紐通し結び目止め孔６に紐部材４を取付け、フィギュアからなる飾り物品１６５を、紐部材４に移動自在に取り付けてなる携帯ストラップ１６６を形成した点にある。
飾り物品１６５の頭部には紐部材４が移動自在に通されてなる紐部材通し孔１６７が設けられている。
飾り物品１６５の頭部にヒートン（リングにビスが一体化されたもの）を取付け、該ヒートンの孔に紐部材４を通す取付け形態もよい。また、飾り物品１６５の頭部にカニ環、引き環などの開閉部付きの環部材を取付け、紐部材４あるいは伸縮性リング３のコイル部位に着脱自在形態で取り付ける形態もよい。
【実施例２６】
【００６８】
図３２に示す実施例２６おいて、前記実施例１と主に異なる点は、伸縮性リングを、合成樹脂製部材、ゴム製部材ないし金属製部材を波型形態に形成したスプリング形態の伸縮性リング１６８とし、紐取り付け物品を、通し固定部１２を設けない構成の紐取り付け物品１７０とし、その物品本体１０の底部に伸縮性リング１６８を直接的に融着、溶着、接着あるいはろう付けなどしてなる携帯ストラップ１６９を形成した点にある。
【実施例２７】
【００６９】
図３３、図３４に示す実施例２７おいて、１７２は携帯ストラップであって、携帯ストラップ１７２は次に述べるような構成となっている。
両端が非接続の引っ張りコイルスプリング形態の伸縮性リング１７３と、物品本体１０、この物品本体１０の下部側に設けられた止まり横穴形態の、伸縮性リング１７３の一方の端方を接続する接続部１７４ａ、他方の端方を接続する接続部１７４ｂと、物品本体１０上部側に設けられた貫通横穴形態の結び目収納部１１、物品本体１０の上部面から結び目収納部１１に連絡するように設けられた紐通し結び目止め孔６、物品本体１０の背部面から結び目収納部１１に連絡するように設けられた紐部材４は通るがその結び目５は通らない紐結び目止め孔１７５とからなる紐取り付け物品１７６と、紐通し結び目止め孔６あるいは紐通し結び目止め孔１７５に取り付けられた（ここでは紐通し結び目止め孔６）紐部材４と、この紐部材４の他方の側に設けられたストッパー８とからなっている。
【００７０】
紐取り付け物品１７６の接続部１７４ａおよび接続部１７４ｂは伸縮性リング１７３のコイル部位が少なくとも一つは嵌る凹み形態で、その中心には前記コイル部位の内径部位に入る突起１７７が設けられている。
接続部１７４ａおよび接続部１７４ｂへの伸縮性リング１７３の取り付けは、接着剤による接着、溶着、融着などによる。
接続部１７４ａおよび接続部１７４ｂは凹み形態でなくてもよく、例えば、突起１７７のみからなる形態でもよい。
【００７１】
図３４において、紐結び目止め孔１７５に紐部材４を通し取り付けた形態とし、紐取り付け物品１７６の上部面にワッペンなどの粘着剤が裏面に施してなる飾り物品１７８を貼り付けたものである。
飾り物品１７８は剥して別の飾り物品を貼り付けて楽しむことができる。
【実施例２８】
【００７２】
図３５に示す実施例２８おいて、前記実施例２３と主に異なる点は、紐取り付け物品１５４ｂおよび飾り物品１５６に変えて、花びら形態で下部に貫通横孔形態の紐通し孔１８０を有する飾り物品１８１を紐からなる結束部材（コイル取付け部１０８）によって取り付けてなる携帯ストラップ１８２を形成した点にある。
【実施例２９】
【００７３】
図３６に示す実施例２９おいて、前記実施例２８と主に異なる点は、飾り物品を糸通し孔１８４ａ、１８４ｂを有する平ボタン形態状の飾り物品１８５としてなる携帯ストラップ１８６を形成した点にある。
飾り物品１８５に飾りワッペン、飾り宝石状部材など飾り物品を貼り付けたり接着したりして飾ることができるものである。
【実施例３０】
【００７４】
図３７に示す実施例３０おいて、前記実施例１と主に異なる点は、左右のコイル部位を重ねて溶着、融着、接着、結束（図は接着剤による接着）によって一体化コイル部位群１８７を形成し、一方のさらに延ばしてなる延長部位１８８に紐取り付け物品１８９を固着してなる携帯ストラップ１９０を形成した点にある。
紐取り付け物品１８９は物品本体１０と、この物品本体１０の上部側に貫通横穴形態で設けられた結び目収納部１１と、物品本体１０の上部面から結び目収納部１１に連絡するように設けられた紐通し結び目止め孔６と、物品本体１０の底部を開口して止まり穴形態に設けられた、延長部位１８８が挿入されて固着されるコイル固着部２００とからなっている。
【実施例３１】
【００７５】
図３８、図３９に示す実施例３１において、前記実施例１と主に異なる点は、伸縮性リング３のコイル部位に着脱自在形態で取り付けることができる着脱自在型取付け部材２０３と着脱自在型取付け部材２０４を該コイル部位に取付け設けてなる、あるいは添付形態で設けてなる携帯ストラップ２０５を形成した点にある。
着脱自在型取付け部材２０３は部材本体２０１に設けた操作爪２０６を指先で引き操作ないし押し込み操作すると、開動作する開閉爪２０７を有する一方の取り付け部材２０８と、この一方の取り付け部材２０８にリング２０９で連結された他方の取り付け部材２１０」（一方の取り付け部材２０８と同形態）とを備えてなるものである。
着脱自在型取付け部材２０４は部材本体２０２に設けた操作爪２１１を指先で引き操作すると、開動作する開閉ピン２１２を有する一方の取り付け部材２１３と、この一方の取り付け部材２１３に熔接ないしろう付けによって一体形態で連結された他方の取り付け部材２１４（一方の取り付け部材２１３と同形態）とを備えてなるものである。
他方の取り付け部材２１０」には飾り２１５が着脱自在形態で取り付けられ、他方の取り付け部材２１４には飾り２１６が着脱自在形態で取り付けられている。
違う飾り容易に素早く変えることができる。
また、着脱自在型取付け部材２０３、２０４が邪魔な場合は、伸縮性リング３から簡単に外すことができる。
また、着脱自在型取付け部材２０３ないし着脱自在型取付け部材２０４をコイル部位に複数取り付けて複数の飾りを容易に着脱自在形態で取り付けることができるともに、紐による吊形態のような紐が絡まり合うということが起きない複数吊形態を実現する。
また、例えば一方の取り付け部材２０８と他方の取り付け部材２１４を連結した形態もよい。
【００７６】
着脱自在型取付け部材２０３、２０４の技術的思想は次のようである。
部材本体に設けた操作爪を指先で引き操作ないし押し込み操作すると、開動作する開閉爪ないし開閉ピンを有する一方の取り付け部材と、この一方の取り付け部材に連結された、部材本体に設けた操作爪を指先で引き操作ないし押し込み操作すると、開動作する開閉爪ないし開閉ピンを有する他方の取付け部材とを備えてなることを特徴とする装身具用着脱自在型取り付け部材。
【実施例３２】
【００７７】
図４０に示す実施例３２において、前記実施例１と主に異なる点は、ストッパーを、イヤホンジャック用開口２１７を通る形態のストッパー２１８とした携帯ストラップ２１９を形成した点にある。
ストッパーは紐部材４の単なる結び目もよい。結び目はそれほど目立たないので、表面に目立つものをつけるのを好まない人に好適である。
【実施例３３】
【００７８】
図４２に示す実施例３３において、前述した複数の実施例と主に異なる点は、ストッパーを異なる機能形態の止め部材とした点にある。
（ａ）図の携帯ストラップは、板状の上部面に粘着部２２０と剥離紙２２１を設けてなる止め部材２２２としたものである。携帯電話の背面、あるいはケースやカバーの背面に粘着部２２０を貼り付けた形態で取り付ける使用とするものである。
（ｂ）図の携帯ストラップは、紐部材４の先端を折り曲げてその部分にシート状のゴム製部材、摩擦の大きい合成樹脂製部材などの摩擦プレートを止め部２２３としたものである。止め部２２３をケース２４と多機能携帯端末２３の間に挟みつけて動かない形態にして使用するものである。
（ｃ）図の携帯ストラップは、紐部材４のストレート形態の先端部側にゴム製部材、摩擦の大きい合成樹脂製部材を塗布してなる止め部２２４としたものである。止め部２２４をケース２４と多機能端末２３の間に挟み付けて動かない形態にして使用するものである。
（ｄ）図の携帯ストラップは、ループ形態の紐部材４０の先端部側にゴム製部材、摩擦の大きい合成樹脂製部材を塗布してなる止め部２２５としたものである。止め部２２５をケース２４と多機能端末２３の間に挟み付けて動かない形態にして使用するものである。
【実施例３４】
【００７９】
図４３、図４４、図４５に示す実施例３４において、前記実施例１と主に異なる点は、ストッパー８をカニ環、引き環などの開閉型環部材からなる物品２２９とし、紐部材４に移動自在形態で管部材からなるストーパー２２８を設けてなる携帯ストラップ２２７を形成した点にある。
紐部材４に取り付けられる物品は、開閉型環部材ではなく単なる閉じた環部材でもよいし、ストッパー８、あるいは他の飾りなどの物品でもよく、物品は多様な形態の物品が含まれるものである。
携帯品への取り付けは、ストーパー２２８を例えば紐部材４の略中央に位置させて、ケース２４の開口部３５の外側（下）から通し開口窓２６の外に出し状態にしておいて、ケース２４に多機能携帯端末２３を嵌め込み、紐取り付け物品２側および物品２２９側の紐部材４を引いて、ストーパー２２８をケース２４と多機能携帯端末２３の当接させた取り付け状態とする。
好みに応じて、物品２２９に好みの飾りを取り付けることができる。
ストーパー２２８の位置のよって、紐取り付け物品２側の紐部材４の長さと物品２２９側の紐部材４の長さを好みの比率にできる。
また、物品２２９をケース２４の開口部３５の外側（下）から通し開口窓２６の外に出し状態にしておいて、ケース２４に多機能携帯端末２３を嵌め込み、紐取り付け物品２側の紐部材４を引いて、物品２２９をケース２４と多機能携帯端末２３の当接させた取り付け状態とすることもできる。
紐部材４に移動自在形態で取り付けられるストーパーは、ストーパー２２８のような管部材に限定されるものではなく、キャラクタの顔、ロゴ、多様な形状のものなど多様な形態のものが使用できる。
【００８０】
また、図４５のように、カース２９の紐通し取付け部３０に紐部材４を折り畳んだ状態で通し、抜けた部位を広げて潜らせループ３１を形成して、該潜らせループ３１に伸縮性リング３と物品２２９を潜らせた状態にして潜らせループ３１を締めて取り付け状態とし、好みに応じて、物品２２９に好みの飾りを取り付けることができる。
紐取り付け物品２側の紐部材４の長さと、物品２２９側の紐部材４の長さを好みの比率にできる。
【００８１】
＜指輪としての使用＞
伸縮性リング３の内径が人の一本の指よりも小さい径としたものは、コイルスプリングに指輪飾り物品となる紐取り付け物品（指輪のアクセントとである飾り物品となる）を固定した形態の指輪でもある。
具体的には、
図８のような、伸縮性リング３に指輪の飾り物品となる紐取り付け物品５４を設けた形態、
図１４のような、伸縮性リング３に指輪の飾り物品となる紐取り付け物品９６を設けた形態、
図１６のような、伸縮性リング３に指輪の飾り物品となる紐取り付け物品５６を設けた形態、
図１７のような、伸縮性リング３に指輪の飾り物品となる紐取り付け物品２を設けた形態、
図２４のような、伸縮性リング３に指輪の飾り物品となる紐取り付け物品１４３を設けた形態、
図２６のような、伸縮性リング３に指輪の飾り物品となる紐取り付け物品１５４を設けた形態、
図２７のような、伸縮性リング３に指輪の飾り物品となる紐取り付け物品１５４ａ、１５４ｂを設けた形態、
図３２のような、伸縮性リング１６８に指輪の飾り物品となる紐取り付け物品１７０を設けた形態、
図３３のような、伸縮性リング１７３に指輪の飾り物品となる紐取り付け物品１７６を設けた形態、
図３５のような、伸縮性リング３に指輪の飾り物品となる紐取り付け物品１５４と、飾り物品１８１を設けた形態、
図３６、３８のような、伸縮性リング３に飾り物品取り付けた形態、
携帯ストラップとしての使用を考慮しない、指輪としての使用だけであるなら、紐通し結び目止め孔と結び目収納部を設けない形態の飾り物品（紐取り付け物品）となる。
紐通し結び目止め孔６のような孔を飾り物品（紐取り付け物品１）に１つないし複数設け、これにゴム棒部材を差し込み、このゴム棒部材の上部にキャラクタ、ハートなどの飾り、宝石状の飾りなどを取付け、ふらふらと触れるかざりとするのもよい。
また、飾り物品（紐取り付け物品１）の上部に大きな宝石状の飾りを接着して設けるとか、小さな宝石状部材で飾り立てるのもよい。
縮性リング３の内径を１５ｍｍ以下（好ましは１３ｍｍ以下、より好ましは１１ｍｍ以下とするのがより。この場合、長時間の指への装着でも血液の循環を悪くすることが無いように、指をきつく締め付けない、弱く緩やかな締め力とするのがよい。
縮性リング３は合成樹脂製部材ないしゴム製部材であるので、カラフルなカラーのものが提供されることは言うまでもない。
【００８２】
[付記４]
＜付記４の発明の名称＞
指輪
＜技術分野＞
付記４の発明は、合成樹脂製部材あるいはゴム製部材からなるコイルスプリングを用いた指輪に関する。
＜背景技術＞
多頂角の星型に成形された弾性ある鋼鉄を、コイル状に巻きながら環状に成形したリングからなる指輪で、これを手足の指に巻いてローリングすることにより身体のツボを刺激する星型コイルのツボ押し及びマサージ健康リングが知られている。（例えば、特許文献１）
＜先行技術文献＞
特許文献１：実用新案登録第3125771号公報
＜発明が解決しようとする課題＞
上述した特許文献１の考案は、指に巻いてローリングする使用であるので、宝石状部材などのアクセントになる飾りを設けることができないという欠点を有していた。また、弾性のある鋼鉄からなるものであり、かつ、星形のコイルであるので、その締め付け力と尖がり部位が強く指に突き刺さるので、長時間指の同じ箇所に装着しておくことができないものであった。すなわち、指をおしゃれに飾る指輪としては使用できないという欠点を有するものであった。
＜課題を解決するための手段＞
[付記４の発明１]
弱く緩やかな指への締め力である、あるいは指への締め付けのない内径の合成樹脂製部材あるいはゴム製部材からなる、コイル径が４ｍｍ以上のコイルスプリング形態の指輪本体と、
この指輪本体の外側に設けられた飾り物品とからなることを特徴とする指輪。
[付記４の発明２]
飾り物品に、携帯ストラップを形成する非ループの一本形態の紐の結び目が入り収納される結び目収納部が設けられ、この結び目収納部に連絡する前記紐は通るが前記結び目は通らず該結び目を止める紐通し結び目止め孔が設けられてなることを特徴とする付記４の発明１に記載の指輪。
＜付記４の発明１の効果＞
飾り物品の付いた、弱く緩やかな指への締め力である、あるいは指への締め付けのない内径の合成樹脂製部材あるいはゴム製部材からなるコイルスプリング形態の指輪を実現するという効果を奏する。
装着した指への締め付け力がなくても、指輪本体がそのコイル径が４ｍｍ以上の合成樹脂製部材あるいはゴム製部材からなるコイルスプリング形態であるので、一本の指への伸縮性リングの装着が締め付け力が得られない指の太さでも、コイル部分は装着指度その隣の指の間に挟持されることになり、指間の挟持によって伸縮性リング３指輪はその指への装着が保持されるという効果を奏する。
また、コイルスプリング形態の指輪本体を構成する幾つものコイル部位に、飾りを設けた引き環、カニ環、開閉型リングなどを取付けることができ、指輪本体に加えて多様な飾りを単品であるいは複数を簡単に取付け飾り付けの多い指輪を簡単に形成できるという効果を奏する。
＜付記４の発明２の効果＞
付記４の発明１に記載の発明と同様な効果を奏するとともに、紐通し結び目止め孔にストラップの紐を通し結び目収納部から出し、その出した部位に結び目を形成し、該結び目を結び目収納部内に引き込んで携帯ストラップを形成できるという効果を奏する。
【００８３】
≪付記Ｂ１記載の発明の効果≫
紐取り付け物品と、
この紐取り付け物品に直接的にあるいは他の部材を介して間接的に取り付けられた、指に指輪形態でつけることができるあるいは手首にブレスレット形態でつけることができるリングと、
前記紐取付け物品に設けられた、１本の紐部材あるいは２本の紐部材は通すが該紐部材の結び目を通さない径ないし形態の紐通し結び目止め孔と、
この紐通し結び目止め孔に他方の側を通されてその出た部位に前記結び目を形成して該紐通し結び目止め孔から抜けないようにしてなる、あるいは前記紐通し結び目止め孔に通されず添付されてなる紐部材と、を備えるとともに、
前記紐通し結び目止め孔に取り付けられ状態の前記紐部材を取り除き、新たな紐部材を前記紐通し結び目止め孔に通し前記結び目を形成して取り付けることを可能としてなることを特徴とする携帯ストラップであるので、次に述べるような効果を奏する。
すなわち、
（１）紐取付け物品に設けられた、１本の紐部材あるいは２本の紐部材は通すが該紐部材の結び目を通さない径ないし形態の紐通し結び目止め孔によって、紐部材がささくれ立って切れそうになったら該紐部材を切断して取り除き、紐部材が切断してしまったら取り除き、あるいは紐部材の長さが不適当で好みの長さの紐部材に変えたい場合は紐部材を切断して取り除き、新しい紐部材を紐通し結び目止め孔に通し結び目を形成して、抜けないように新たな紐部材を取り付けた携帯ストラップを形成できるという効果を奏する。
（２）一本ないし複数本の指に掛ける指輪形態で使用することを実現するものであるので、伸縮性リングを締め付け力の弱いものとすることにより、指に長時間掛けたままにしておくことが可能となり、これによって、携帯品をその手に緊張感なく優しく長時間持ったままでの携行を可能とするものである。そして、適当な指に紐部材を軽く絡めるなり軽く押さえ付け状態とすることで、その手持ち感をより手にフィットさせた、指のより弱い緊張感のない指を携帯品に添えるだけの、落ちる心配のない安心感のある手に持ったままの携行を実現するものである。これは、いつでもどこでも素早く操作ができる、マナーモードでも確実に着信を知り素早く安全委応対することを可能とするものである。
（３）また、指に伸縮性リングを装着した状態で、携帯品を耳に当て電話をしている通話状態や、画面をタッチしながらメールやインタネットやアプリの指タッチ操作等をした状態では、指輪である伸縮性リングは使用者に向いている対向看者からみると略真正面に向かい形態で位置されるので、伸縮性リングが異様に目に付く目立つものとなる。よって、伸縮性リングに宝石状部材、キャラクタの顔、広告物などを設けることにより、それらが、対向看者に強くアピールすることになり、強く印象付けられたものにできるという効果を奏する。
≪付記Ｂ２記載の発明の効果≫
紐取り付け物品と、
この紐取り付け物品に直接的にあるいは他の部材を介して間接的に取り付けられた、指に指輪形態でつけることができるあるいは手首にブレスレット形態でつけることができる伸縮性リングと、
前記紐取付け物品に設けられた、１本の紐部材あるいは２本の紐部材は通すが該紐部材の結び目を通さない径ないし形態の紐通し結び目止め孔と、
この紐通し結び目止め孔に他方の側を通されて出た部位に前記結び目を形成して該紐通し結び目止め孔から抜けないようにしてなる、あるいは前記紐通し結び目止め孔に通されず添付されてなる紐部材と、を備えるとともに、
前記紐通し結び目止め孔に取り付けられ状態の前記紐部材を取り除き、新たな紐部材を前記紐通し結び目止め孔に通し前記結び目を形成して取り付けることを可能としてなることを特徴とする携帯ストラップであるので、次に述べるような効果を奏する。
すなわち、
（１）紐取付け物品に設けられた、１本の紐部材あるいは２本の紐部材は通すが該紐部材の結び目を通さない径ないし形態の紐通し結び目止め孔によって、紐部材がささくれ立って切れそうになったら該紐部材を切断して取り除き、紐部材が切断してしまったら取り除き、あるいは紐部材の長さが不適当で好みの長さの紐部材に変えたい場合は紐部材を切断して取り除き、新しい紐部材を紐通し結び目止め孔に通し結び目を形成して、抜けないように新たな紐部材を取り付けた携帯ストラップを形成できるという効果を奏する。
（２）また、紐部材を切断取り除いて、あるいはそのままヘアーゴム輪、ブレスレットあるいは指輪として使用できるという効果を奏する。
≪付記Ｂ３記載の発明の効果≫
紐通し結び目止め孔に連絡された、紐部材の結び目の全部を収納する形態の孔あるいは溝からなる結び目収納部を設けてなることを特徴とする付記Ｂ１、２のいずれか１項に記載の携帯ストラップであるので、付記Ｂ１、２のいずれか１項に記載の発明と同様な効果を奏するとともに、
結び目収納部に結び目が収納され外に露出しない形態を実現するので、結び目が目立たないことで携帯ストラップおよび携帯品の携帯美感を損なわないという効果を奏する。
また、結び目から出た紐端部位が結び目収納部に収納されることによって、該紐端部位が周囲のものに当たることがなく、よって当たって結び目紐端部位が解れることが防止されるという効果を奏する。
≪付記Ｂ４記載の発明の効果≫
伸縮性リングが、プラスチック製（合成樹脂製）あるいはゴム製のコイルスプリングからなる伸縮性コイルリングであることを特徴とする付記Ｂ２、３のいずれか１項に記載の携帯ストラップであるので、付記Ｂ２、３のいずれか１項に記載の発明と同様な効果を奏するとともに、次に述べるような効果を奏する。
「プラスチック製（合成樹脂製）あるいはゴム製のコイルスプリングからなる伸縮性コイルリング」は、指で軽く摘まんでもそのコイル部位は容易につぶれ変形する柔らかさであり、素材そのものもソフトタッチであるので指の間に挟持されても容易につぶれ変形しかつソフトタッチなので例えば指に付ける指輪形態であるものは指に痛みを与えないものである。
その点で特に、一本の指につけての指輪として好適である。それは、コイル部位がそれなりに太くなるので（例えばコイル部位の径が４ｍｍ以上）隣の指と装着した指の間にソフトタッチのコイル部位が挟まり変形し、伸縮性コイルリングの内径が装着した指よりも大きくても、隣の指とのコイル部位のソフト挟持形態によって指上に保持される。
また、コイル部位がいくつもあるので、そこに引き環、カニ環などの着脱自在取付け部材を有する飾りを離していくつも取付け可能とするものである。
≪付記Ｂ５記載の発明の効果≫
紐取付け物品に伸縮性コイルリングのコイル部位に通し該コイル部位を取り付け状態とするコイル取付け部が設けられ、このコイル取付け部に前記コイル部位が複数に通された複数コイル部位掛かり形態である掛かりコイル部位群を形成してなることを特徴とする付記Ｂ５記載の携帯ストラップであるので、付記Ｂ４記載の発明と同様な効果を奏するとともに、
コイル取付け部にコイル部位の複数に通された掛かりコイル部位群を形成しているので、伸縮性コイルリングが引っ張られた場合には、掛かりコイル部位群の左右最端のコイル部位がそれぞれ複数コイル部位掛かり部に当たり、その当たり部位の２か所に引っ張り力が集中分散され、かつ、前記掛かりコイル部位群の複数のコイル部位が収縮して引っ張られるのでそのショックを軽減するように機能する。よって、コイル部位に掛かる引っ張り力を分散低減することによって、伸縮コイルリングの破断をし難くしている。
特に棒状のコイルの両先端を融着あるいは溶着によってコイル接合部として接合している伸縮コイルリングにあっては、前記コイル接合部を掛かりコイル部位群の中央に位置させることによって、該コイル接合部への引っ張り負荷を軽減して破断し難くするという効果を奏する。
≪付記Ｂ６記載の発明の効果≫
伸縮性コイルリングの紐取り付け物品に支持されるコイル部位が複数であり、この複数のコイル部位が融着、溶着接着剤、結束部材などの一体化手段によって一体化された一体化コイル部位群を形成してなることを特徴とする付記Ｂ４記載の携帯ストラップであるので、付記Ｂ４記載の発明と同様な効果を奏するとともに次に述べるような効果を奏する。
特にコイル接合部を有する伸縮性コイルリングにあっては、コイル接合部を有するコイル部位を含めて一体化コイル部位群を形成することにより、コイル接合部への引っ張り力の働きが及ばないようにして該コイル接合部が分断することが無いようにできるという効果を奏する。すなわち、コイル接合部が接合不良状態であってもそこが分断することが生じない安全を実現するという効果を奏する。
≪付記Ｂ７記載の発明の効果≫
掛かりコイル部位群を形成するコイル部位の数があるいは一体化コイル部位群を形成するコイル部位の数が少なくとも三つであることを特徴とする付記Ｂ６、７いずれか１項に記載の携帯ストラップであるので、このような構成としても付記Ｂ５、６いずれか１項に記載の発明と同様な効果を奏する。
≪付記Ｂ８記載の発明の効果≫
伸縮性リングが、合成樹脂製あるいはゴム製のコイルの両端を突き合わせて融着、溶着あるいは接着などによる接合部によって伸縮性コイルリング形態に形成されてなるものであり、前記接合部を有するコイル部位とその両隣のコイル部位の少なくとも三つのコイル部位を結束部材、接着剤、融着、溶着などの一体化手段によって一体化されてなる一体化コイル部位群を形成してなることを特徴とする付記Ｂ２〜４、６、７のいずれか１項に記載の携帯ストラップであるので付記Ｂ２〜５、７のいずれか１項に記載の発明と同様な効果を奏するとともに、
接合不良などで破断しやすい接合部であっても、引っ張り負荷の掛かるのは両隣の一体化された接合部を有さないコイル部位であるので、接合部で破断することが起きず安全性の高いものを実現するという効果を奏する。
≪付記Ｂ９記載の発明の効果≫
部材本体に設けた操作爪を指先で引き操作ないし押し込み操作すると、開動作する開閉爪ないし開閉ピンを有する一方の取り付け部材と、この一方の取り付け部材に連結された、部材本体に設けた操作爪を指先で引き操作ないし押し込み操作すると、開動作する開閉爪ないし開閉ピンを有する他方の取付け部材とを備えてなる着脱自在型取り付け部材を、前記一方の取り付け部材をコイル部位に取付けた形態で設け、あるいは添付して設けたことを特徴とする付記Ｂ付記Ｂ４〜８のいずれか１項に記載の携帯ストラップであるので、付記Ｂ付記Ｂ４〜８のいずれか１項に記載の発明と同様な効果を奏するとともに、次に述べるような効果を奏する。
一方の取り付け部材をコイル部位に着脱自在形態で取付け、他方の取付け部材に飾りを着脱自在形態で取り付ける使用形態を実現するという効果を奏する。
また、違う飾り容易に素早く変えることができる。
また、着脱自在型取付け部材が邪魔な場合は、伸縮性コイルリングから簡単に外すことができる。
また、着脱自在型取付け部材をコイル部位に複数取り付けて複数の飾りを容易に着脱自在形態で取り付けることができるともに、紐による吊形態のような紐が絡まり合うということが起きない複数吊形態を実現する。
≪付記Ｂ１０記載の発明の効果≫
紐部材がケースと該ケースに嵌め込み形態で取り付けられる携帯電話等からなる携帯品の、前記嵌め込み形態にある前記ケースと前記携帯品の間に挟持される形態の紐部材であって、この紐部材に移動自在にストッパーが設けられてなることを特徴とする付記Ｂ１〜９のいずれか１項に記載の携帯ストラップであるので、付記Ｂ１〜９のいずれか１項に記載の発明と同様な効果を奏するとともに、次に述べるような効果を奏する。
携帯品への取り付けは、ストーパーを例えば紐部材の略中央に位置させて、ケースの底部の開口部の外側（下）から外に出し状態にしておいて、ケースに携帯電話等を嵌め込み、紐部材を引いてストーパーをケースと携帯電話等に当接させた取り付け状態にできるので、紐部材が二本出た状態にでき、よって、ストーパーの位置のよって、出ている二本の紐部材の長さを好みの比率にでき、リング、伸縮性リング、伸縮性コイルリングの付いていな側に他の飾りを取付け可能にできるという効果を奏する。
≪付記Ｂ１１記載の発明の効果≫
付記Ｂ２〜１０のいずれか１項に記載の携帯ストラップの構成にあって、伸縮性リングがヘアーゴム輪となるコイルスプリングであり、紐部材が設けられていない形態であるとともに、紐取付け物品に紐部材を取り付けることにより、付記Ｂ２〜１０のいずれか１項に記載の伸縮性リングが前記コイルスプリングである携帯ストラップを形成することができることを特徴とするヘアーゴム輪であるので、次に述べるような効果を奏する。
すなわち、
ヘアーゴム輪として提供され、そのままヘアーゴム輪として使用できるとともに、紐部材を紐通し結び目止め孔に通し結び目を形成して抜けないように取り付けるという、簡単な作業で素早く好みの紐長さの携帯ストラップを形成して使用できるという効果を奏する。
また、携帯ストラップとしての使用を止め、紐部材を取り外して単独のヘアーゴム輪として使用できる。すなわち、何回でも携帯ストラップとしても単独のヘアーゴム輪としても使用できる。
≪付記Ｂ１２記載の発明の効果≫
付記Ｂ２〜１０のいずれか１項に記載の携帯ストラップの構成にあって、伸縮性リングが輪となるコイルスプリングであり、紐部材が設けられていない形態であるとともに、紐取付け物品に紐部材を取り付けることにより、付記Ｂ２〜１０のいずれか１項に記載の伸縮性リングが前記コイルスプリングである携帯ストラップを形成することができることを特徴とする指輪であるので、次に述べるような効果を奏する。
すなわち、
指輪として提供され、そのまま指輪輪として使用できるとともに、紐部材を紐通し結び目止め孔に通し結び目を形成して抜けないように取り付けるという、簡単な作業で素早く好みの紐長さの携帯ストラップを形成して使用できるという効果を奏する。
また、携帯ストラップとしての使用を止め、紐部材を取り外して単独の指輪として使用できる。すなわち、何回でも携帯ストラップとしても単独の指輪としても使用できる。
≪付記Ｂ１３記載の発明の効果≫
紐取り付け物品本体と、
この紐取り付け物品に設けられた、指に指輪形態でつけることができるあるいは手首にブレスレット形態でつけることができる伸縮性リングを取り付ける部位であるリング取付け部と、
前記紐取り付け物品本体に設けられた、１本の紐部材あるいは２本の紐部材は通すが該紐部材の結び目を通さない径ないし形態の紐通し結び目止め孔とからなるとともに、
前記紐通し結び目止め孔に前記紐部材を通し前記結び目を形成して該紐部材を取り付け、前記リング取付け部に前記伸縮性リングを取り付けてなる携帯ストラップの形成を可能としてなる紐取り付け物品であるので、次に述べるような効果を奏する。
すなわち、付記Ｂ２〜１０のいずれか１項に記載の携帯ストラップでリングが伸縮性リングである携帯ストラップを実現し、あるいは付記Ｂ１２記載のヘアーゴム輪を実現するという効果を奏する。
≪付記Ｂ１４記載の発明の効果≫
紐通し結び目止め孔に連絡された、紐部材の結び目の全部を収納する形態の孔あるいは溝からなる結び目収納部を設けてなることを特徴とする付記Ｂ１３記載の紐取付け物品であるので、このような構成としても付記Ｂ１３記載の発明と同様な効果を奏する。
【産業上の利用可能性】
【００８４】
本発明は、携帯ストラップ、ヘアーゴム輪、指輪、玩具、ストラップの部品を製造し販売する産業で利用される。
【符号の説明】
【００８５】
１：携帯ストラップ、
２：紐取り付け物品、
３：伸縮性リング、
４：紐部材、
５：結び目、
６：紐通し結び目止め孔、
７：一体化手段、
８：ストッパー、
９：コイル取付け部、
１０：物品本体、
１１、１１ａ、１１ｂ：結び目収納部、
１２：通し固定部、
１３：一体化コイル部位群、
１４：コイル接合部、
１５：固定材充填口、
１６：接着剤、
１７：結び目、
１８：ストッパー本体、
１９：結び目収納部、
２０：紐通し結び目止め孔、
２１：ディスプレイ、
２２：携帯品、
２３：多機能携帯端末、
２４：ケース（カバーを含む）、
２５：撮影用開口、
２６：開口窓、
２７：内径、
２８：携帯品、
２９：ケース、
３０：紐通し取付け部、
３１：潜らせループ、
３２：コイル径、
３４：ヘアーゴム輪、
３５：開口部、
３６：携帯ストラップ、
３７：紐部材、
３８：ケース、
４０：紐部材、
４１：紐通し結び目止め孔、
４２：結び目収納部、
４３：結び目、
４４：携帯ストラップ、
４５：ストッパー、
４６：掛かりコイル部位群、
４７：携帯ストラップ、
４８：物品本体、
４９：伸縮性リング取り付け部、
５０：紐取り付け物品、
５２：ヘアーゴム輪、
５３：伸縮性リング取り付け部、
５４：紐取り付け物品、
５５：固定材、
５６：取り付け物品、
５７：伸縮性リング、
５８：ヘアーゴム輪、
５９：接合部、
６０：ヘアーゴム輪、
６１：ビーズ、
６２：ゴム紐、
６３：接合部、
６４：伸縮性リング、
６５：取り付け物品、
６６：ヘアーゴム輪、
６８：物品本体、
６９：リング通し空間部、
７０：上部、
７１：上部紐通し結び目止め孔、
７２：前部、
７３：内側突出部位、
７４：ゴム輪上部側通し部、
７５：背部、
７６：ゴム輪背部側通し部、
７７：伸縮性リング取り付け部、
７８：伸縮性リング取り付け部、
７９：取り付け物品、
８０：携帯ストラップ、
８１：物品本体、
８２：携帯ストラップ、
８３：結束部材、
８４：コイル取付け部、
８５：吊り部位、
８６：吊り部位、
８７：紐通し結び目止め孔、
８８：紐通し結び目止め孔、
８９：紐取付け物品、
９０：ストッパー、
９１：ストッパー、
９２：伸縮リング、
９４：第１の物品本体、
９５：第２の物品本体、
９６：紐取付け物品、
９７、９７ａ、９７ｂ：コイル取付け部、
９８：嵌め込み突起、
９９：嵌め込み突起
１００：嵌合穴、
１０１：嵌合穴、
１０２：携帯ストラップ、
１０４：コイル取付け部、
１０５：右側掛け部形成体、
１０６：左側掛け部形成体、
１０７：ヘアーゴム輪、
１０８：コイル取付け部、
１０９：ヘアーゴム輪、
１１０：結び目、
１１２：コイル取付け部、
１１３：携帯ストラップ、
１１４：接着剤、
１１６：包装容器、
１１７：針金クリップ、
１１８：プラグ、
１１９：プラグ付き装飾物品、
１２０：携帯ストラップ、
１２１：コード巻き付け具、
１２２：コード止め出し入れ口、
１２３：コード止め出し入れ口、
１２４：コード巻き取り部、
１２５：取付け部、
１２６：携帯ストラップ、
１２７：紐通し取付け孔、
１２８：紐通し取付け孔、
１３３：携帯ストラップ、
１３４：紐取り付け物品、
１３５：リング、
１３７：携帯ストラップ、
１３８：リング固定部、
１３９：紐取り付け物品、
１４０：リング、
１４２：紐通し結び目止め孔、
１４３：紐取付け物品、
１４４：ストッパー、
１４５：ストッパー、
１４６：両側ストッパー付き紐部材、
１４７：携帯ストラップ、
１４８：棒部材、
１４９：潜らせループ、
１５１：リング被さり部、
１５２：部材収納部、
１５３：紐通し結び目止め孔、
１５４、１５４ａ、１５４ｂ：紐取り付け物品、
１５５：ゴム棒製部材、
１５６：飾り物品、
１５７：携帯ストラップ、
１５８：飾り物品、
１５９：携帯ストラップ、
１６０：指輪、
１６２：広告表示、
１６３：飾り物品、
１６４：携帯ストラップ、
１６５：飾り物品、
１６６：携帯ストラップ、
１６７：紐部材通し孔、
１６８：伸縮性リング、
１６９：伸縮性リング、
１７０：紐取り付け物品、
１７２：携帯ストラップ、
１７３：伸縮性リング、
１７４ａ、１７４ｂ：接続部、
１７５：紐通し結び目止め孔、
１７６：紐取り付け物品、
１７７：突起、
１７８：飾り物品、
１８０：紐通し孔、
１８１：飾り物品、
１８２：携帯ストラップ、
１８４ａ、１８４ｂ：糸通し孔、
１８５：飾り物品。
１８６：携帯ストラップ、
１８７：一体化コイル部位群、
１８８：延長部位、
１８９：紐取り付け物品、
１９０：携帯ストラップ、
２００：コイル固着部、
２０１：部材本体、
２０２：部材本体、
２０３：着脱自在型取付け部材、
２０４：着脱自在型取付け部材、
２０５：携帯ストラップ、
２０６：操作爪、
２０７：開閉爪、
２０８：一方の取り付け部材、
２０９：リング、
２１０」：他方の取り付け部材、
２１１：操作爪、
２１２：開閉ピン、
２１３：一方の取り付け部材、
２１４：他方の取り付け部材、
２１５：飾り、
２１６：飾り、
２１７：イヤホンジャック用開口、
２１８：ストッパー、
２１９：携帯ストラップ、
２２０：粘着部、
２２１：剥離紙、
２２２：止め部、
２２３：止め部、
２２４：止め部、
２２５：止め部、
２２７：携帯ストラップ、
２２８：ストッパー、
２２９：物品。
【図１】
0005960888.tif 000002
【図２】
0005960888.tif 000003
【図３】
0005960888.tif 000004
【図４】
0005960888.tif 000005
【図５】
0005960888.tif 000006
【図６】
0005960888.tif 000007
【図７】
0005960888.tif 000008
【図８】
0005960888.tif 000009
【図９】
0005960888.tif 000010
【図１０】
0005960888.tif 000011
【図１１】
0005960888.tif 000012
【図１２】
0005960888.tif 000013
【図１３】
0005960888.tif 000014
【図１４】
0005960888.tif 000015
【図１５】
0005960888.tif 000016
【図１６】
0005960888.tif 000017
【図１７】
0005960888.tif 000018
【図１８】
0005960888.tif 000019
【図１９】
0005960888.tif 000020
【図２０】
0005960888.tif 000021
【図２１】
0005960888.tif 000022
【図２２】
0005960888.tif 000023
【図２３】
0005960888.tif 000024
【図２４】
0005960888.tif 000025
【図２５】
0005960888.tif 000026
【図２６】
0005960888.tif 000027
【図２７】
0005960888.tif 000028
【図２８】
0005960888.tif 000029
【図２９】
0005960888.tif 000030
【図３０】
0005960888.tif 000031
【図３１】
0005960888.tif 000032
【図３２】
0005960888.tif 000033
【図３３】
0005960888.tif 000034
【図３４】
0005960888.tif 000035
【図３５】
0005960888.tif 000036
【図３６】
0005960888.tif 000037
【図３７】
0005960888.tif 000038
【図３８】
0005960888.tif 000039
【図３９】
0005960888.tif 000040
【図４０】
0005960888.tif 000041
【図４１】
0005960888.tif 000042
【図４２】
0005960888.tif 000043
【図４３】
0005960888.tif 000044
【図４４】
0005960888.tif 000045
【図４５】
0005960888.tif 000046